(57)【要約】【課題】  複数の読み手が受ける印象を考慮してレイアウトを行うのに好適なレイアウト支援システムおよびレイアウト支援プログラム、並びにレイアウト支援方法を提供する。【解決手段】  レイアウト装置１００は、印象語対および信頼度を入力し、入力した印象語対に対応するレイアウトテンプレートを記憶装置６２のなかから検索し、入力した印象語対および読み出したレイアウトテンプレートに対応する統計情報をテンプレート管理テーブル４４０から読み出す。そして、読み出した統計情報および入力した信頼度に基づいて評価値の分布の信頼区間を算出し、索出したレイアウトテンプレートを表示装置６４に表示するとともに、算出した信頼区間をレイアウトテンプレートと対応付けて表示装置６４に表示する。【選択図】  図１
2005339251.tif 000002
【特許請求の範囲】
【請求項１】
レイアウトテンプレートまたはレイアウト結果からなるレイアウト評価対象を、当該レイアウト評価対象のレイアウトを複数の評価者が感性評価した結果の分布を示す分布情報と対応付けて提示するようになっていることを特徴とするレイアウト支援システム。
【請求項２】
レイアウトテンプレートまたはレイアウト結果からなるレイアウト評価対象を、当該レイアウト評価対象のレイアウトを複数の評価者が感性評価した結果と対応付けて提示するレイアウト支援システムであって、
前記レイアウト評価対象を、前記感性評価の評価項目および前記感性評価の評価結果の分布を示す統計情報と対応付けて記憶するレイアウト評価対象記憶手段と、
前記評価項目を入力する評価項目入力手段と、
前記評価項目入力手段で入力した評価項目に対応するレイアウト評価対象および統計情報を前記レイアウト評価対象記憶手段のなかから検索するレイアウト評価対象検索手段と、
前記レイアウト評価対象検索手段で索出したレイアウト評価対象を提示するとともに、前記レイアウト評価対象検索手段で索出した統計情報に基づいて前記評価結果の分布を示す分布情報を提示するレイアウト評価対象提示手段とを備えることを特徴とするレイアウト支援システム。
【請求項３】
請求項２において、
さらに、信頼度を入力する信頼度入力手段を備え、
前記レイアウト評価対象提示手段は、前記レイアウト評価対象検索手段で索出した統計情報および前記信頼度入力手段で入力した信頼度に基づいて、前記評価結果の分布の信頼区間を算出し、算出した信頼区間を前記分布情報として提示するようになっていることを特徴とするレイアウト支援システム。
【請求項４】
請求項２において、
前記レイアウト評価対象提示手段は、前記レイアウト評価対象検索手段で索出した統計情報に基づいて、前記評価結果の分布のうち所定区間の分布度合いを算出し、算出した分布度合いを前記分布情報として提示するようになっていることを特徴とするレイアウト支援システム。
【請求項５】
請求項４において、
前記レイアウト評価対象提示手段は、前記評価結果の分布のうち所定値を基準としてその両側の区間の分布度合いをそれぞれ算出するようになっていることを特徴とするレイアウト支援システム。
【請求項６】
請求項２において、
さらに、分布度合いを入力する分布度入力手段を備え、
前記レイアウト評価対象提示手段は、前記レイアウト評価対象検索手段で索出した統計情報に基づいて、前記評価結果の分布のうち所定区間の分布度合いを算出し、算出した分布度合いが、前記分布度入力手段で入力した分布度合い以上であると判定したときは、当該統計情報に係るレイアウト評価対象および分布情報を提示するようになっていることを特徴とするレイアウト支援システム。
【請求項７】
請求項６において、
前記レイアウト評価対象提示手段は、前記評価結果の分布のうち所定値を基準としてその片側の区間の分布度合いを算出するようになっていることを特徴とするレイアウト支援システム。
【請求項８】
レイアウトテンプレートまたはレイアウト結果からなるレイアウト評価対象を、当該レイアウト評価対象のレイアウトを複数の評価者が感性評価した結果と対応付けて提示するレイアウト支援システムであって、
前記レイアウト評価対象を入力するレイアウト評価対象入力手段と、
前記レイアウト評価対象入力手段で入力したレイアウト評価対象を解析してレイアウト特徴量を算出するレイアウト特徴量算出手段と、
前記レイアウト特徴量算出手段で算出したレイアウト特徴量に基づいて前記感性評価の評価結果の分布を示す統計情報を生成する統計情報生成手段と、
前記レイアウト評価対象入力手段で入力したレイアウト評価対象を提示するとともに、前記統計情報生成手段で生成した統計情報に基づいて前記評価結果の分布を示す分布情報を提示するレイアウト評価対象提示手段とを備えることを特徴とするレイアウト支援システム。
【請求項９】
請求項８において、
さらに、前記統計情報を生成するための回帰式の係数を前記感性評価の評価項目と対応付けて記憶する係数記憶手段と、
前記評価項目を入力する評価項目入力手段と、
前記評価項目入力手段で入力した評価項目に対応する回帰式の係数を前記係数記憶手段のなかから検索する係数検索手段とを備え、
前記統計情報生成手段は、前記レイアウト特徴量算出手段で算出したレイアウト特徴量および前記係数検索手段で索出した回帰式の係数に基づいて前記回帰式により前記統計情報を生成するようになっていることを特徴とするレイアウト支援システム。
【請求項１０】
レイアウトテンプレートまたはレイアウト結果からなるレイアウト評価対象を、当該レイアウト評価対象のレイアウトを複数の評価者が感性評価した結果の分布を示す分布情報と対応付けて提示する処理をコンピュータに実行させるためのプログラムであることを特徴とするレイアウト支援プログラム。
【請求項１１】
レイアウトテンプレートまたはレイアウト結果からなるレイアウト評価対象を、当該レイアウト評価対象のレイアウトを複数の評価者が感性評価した結果と対応付けて提示するレイアウト支援プログラムであって、
前記感性評価の評価項目を入力する評価項目入力ステップと、
前記レイアウト評価対象を、前記評価項目および前記感性評価の評価結果の分布を示す統計情報と対応付けて記憶したレイアウト評価対象記憶手段のなかから、前記評価項目入力ステップで入力した評価項目に対応するレイアウト評価対象および統計情報を検索するレイアウト評価対象検索ステップと、
前記レイアウト評価対象検索ステップで索出したレイアウト評価対象を提示するとともに、前記レイアウト評価対象検索ステップで索出した統計情報に基づいて前記評価結果の分布を示す分布情報を提示するレイアウト評価対象提示ステップとをコンピュータに実行させるためのプログラムであることを特徴とするレイアウト支援プログラム。
【請求項１２】
レイアウトテンプレートまたはレイアウト結果からなるレイアウト評価対象を、当該レイアウト評価対象のレイアウトを複数の評価者が感性評価した結果と対応付けて提示するレイアウト支援プログラムであって、
前記レイアウト評価対象を入力するレイアウト評価対象入力ステップと、
前記レイアウト評価対象入力ステップで入力したレイアウト評価対象を解析してレイアウト特徴量を算出するレイアウト特徴量算出ステップと、
前記レイアウト特徴量算出ステップで算出したレイアウト特徴量に基づいて前記感性評価の評価結果の分布を示す統計情報を生成する統計情報生成ステップと、
前記レイアウト評価対象入力ステップで入力したレイアウト評価対象を提示するとともに、前記統計情報生成ステップで生成した統計情報に基づいて前記評価結果の分布を示す分布情報を提示するレイアウト評価対象提示ステップとをコンピュータに実行させるためのプログラムであることを特徴とするレイアウト支援プログラム。
【請求項１３】
レイアウトテンプレートまたはレイアウト結果からなるレイアウト評価対象を、当該レイアウト評価対象のレイアウトを複数の評価者が感性評価した結果の分布を示す分布情報と対応付けて提示することを特徴とするレイアウト支援方法。
【請求項１４】
レイアウトテンプレートまたはレイアウト結果からなるレイアウト評価対象を、当該レイアウト評価対象のレイアウトを複数の評価者が感性評価した結果と対応付けて提示するレイアウト支援方法であって、
前記感性評価の評価項目を入力する評価項目入力ステップと、
前記レイアウト評価対象を、前記評価項目および前記感性評価の評価結果の分布を示す統計情報と対応付けて記憶したレイアウト評価対象記憶手段のなかから、前記評価項目入力ステップで入力した評価項目に対応するレイアウト評価対象および統計情報を検索するレイアウト評価対象検索ステップと、
前記レイアウト評価対象検索ステップで索出したレイアウト評価対象を提示するとともに、前記レイアウト評価対象検索ステップで索出した統計情報に基づいて前記評価結果の分布を示す分布情報を提示するレイアウト評価対象提示ステップとを含むことを特徴とするレイアウト支援方法。
【請求項１５】
レイアウトテンプレートまたはレイアウト結果からなるレイアウト評価対象を、当該レイアウト評価対象のレイアウトを複数の評価者が感性評価した結果と対応付けて提示するレイアウト支援方法であって、
前記レイアウト評価対象を入力するレイアウト評価対象入力ステップと、
前記レイアウト評価対象入力ステップで入力したレイアウト評価対象を解析してレイアウト特徴量を算出するレイアウト特徴量算出ステップと、
前記レイアウト特徴量算出ステップで算出したレイアウト特徴量に基づいて前記感性評価の評価結果の分布を示す統計情報を生成する統計情報生成ステップと、
前記レイアウト評価対象入力ステップで入力したレイアウト評価対象を提示するとともに、前記統計情報生成ステップで生成した統計情報に基づいて前記評価結果の分布を示す分布情報を提示するレイアウト評価対象提示ステップとを含むことを特徴とするレイアウト支援方法。
【発明の詳細な説明】
【技術分野】
【０００１】
本発明は、レイアウト作業を支援するシステムおよびプログラム、並びに方法に係り、特に、複数の読み手が受ける印象を考慮してレイアウトを行うのに好適なレイアウト支援システムおよびレイアウト支援プログラム、並びにレイアウト支援方法に関する。
【背景技術】
【０００２】
従来、レイアウトに関する専門知識のないユーザであっても容易にレイアウトをできるように、文書の目的や印象を与えてレイアウトを行う技術としては、例えば、特許文献１に開示されている文書作成支援システムが知られている。
特許文献１記載の発明は、文書作成の方針を表す情報と文書の構造・デザインなどを決定する文書の属性情報との関係を示す文書制御情報を保持する文書制御情報記憶部を備え、文書の目的や印象などの文書作成の方針を指示する情報を入力し、入力した指示情報および文書制御情報記憶部の文書制御情報に基づいて文書の構成、デザインを決定し、指示された文書作成方針に沿った文書を生成する。
【０００３】
また、既存の文書に対してそれから受ける印象を変更する技術としては、例えば、特許文献２に開示されている文書レイアウト編集装置が知られている。
特許文献２記載の発明は、対象となる文書の文書構成要素を解析する文書構成要素解析部と、解析した文書構成要素に対応して感性データベースを検索し、対応する複数の印象語のレベルを選定する文書構成要素→印象語変換部と、選定した各印象語のレベルを表示部に表示し、表示した各印象語のレベルをユーザが個別に変更可能な印象語変更部と、変更された各印象語のレベルに対応して感性データベースを検索し、対応する文書構成要素を選定する印象語→文書構成要素変換部と、選定した文書構成要素に基づいて対象となる文書のレイアウト編集を変更する文書レイアウト編集部とで構成されている。
【特許文献１】特開平４−１４１７０号公報
【特許文献２】特開平９−３０５５９６号公報
【発明の開示】
【発明が解決しようとする課題】
【０００４】
このように、特許文献１および２記載の発明にあっては、ユーザが文書の印象を与えることにより、その印象に適合するレイアウトとなるように文書を作成することができる。しかしながら、出来上がったレイアウトから受ける印象は、人によって幅があり、例えば、ユーザが「おとなしい」と感じるレイアウトとして文書を作成したつもりが、人によっては、そうでないと感じる場合がある。そのため、文書を作成して多数の人に提供する場合に、ユーザは、読み手のうち何人が想定した通りの印象を受け、何人がそれとは異なる印象を受けるかをレイアウト作業の段階で把握するのは難しい。したがって、複数の読み手が受ける印象を考慮してレイアウトを行うことはできないという問題があった。
【０００５】
図２９は、異なる１６個のレイアウトテンプレートに対して写真をレイアウトしたレイアウト結果０〜１５に対して感性評価を行った結果を示す図である。
レイアウトテンプレートとは、テキストや画像情報等のレイアウト要素を所定のレイアウト領域にどのように配置するかを規定したものである。レイアウトテンプレートを利用した自動レイアウトシステムでは、レイアウト対象となるレイアウト要素が与えられると、レイアウトテンプレートに従って、与えられたレイアウト要素を規定のレイアウトとなるようにレイアウト領域に自動的に配置することができる。
【０００６】
図２９の例では、レイアウト結果０〜１５のそれぞれに対して、「おとなしい」と感じるかまたは「迫力がある」と感じるかを複数の評価者に評価してもらい、各レイアウト結果ごとにその評価値の分布を縦軸方向の直線で示している。直線上にプロットした点は、評価値の平均値を示している。
ユーザは、「迫力がある」と感じるレイアウトを実現したい場合、レイアウト結果５に用いたレイアウトテンプレートと、レイアウト結果６に用いたレイアウトテンプレートを選択候補として考えたとき、評価値の平均値だけに注目すると、図２９に示すように、レイアウト結果６に用いたレイアウトテンプレートの方が「迫力がある」と感じやすいので、レイアウト結果６に用いたレイアウトテンプレートを選択することになる。しかしながら、「おとなしい」と感じる人ができるだけ少ない方がよいという要望がある場合は、レイアウト結果５に用いたレイアウトテンプレートの方が評価値のばらつきが少ないので適切な場合がある。
【０００７】
図３０は、異なる２つのレイアウトテンプレートＡ，Ｂに対して感性評価を行った結果を示す図である。
図３０の例では、レイアウトテンプレートＡ，Ｂのそれぞれに対して、「おとなしい」と感じるかまたは「迫力がある」と感じるかを複数の評価者に評価してもらい、各レイアウトテンプレートごとにその評価値の分布を縦軸方向の直線で示している。直線上の太線は、評価値の平均値を示しており、いずれも「０」である。
【０００８】
ユーザは、「おとなしい」とも「迫力がある」とも感じさせたくないレイアウトを実現したい場合、評価値の平均値だけに注目してレイアウトテンプレートＡを選択すると、レイアウトテンプレートＢよりも評価値のばらつきが大きいので、人によっては「おとなしい」と感じさせたり「迫力がある」と感じさせたりしてしまう。この場合は、レイアウトテンプレートＢを選択するのが適切である。
【０００９】
このことは、レイアウトテンプレートを選択する場合に限らず、既存の文書のようなレイアウト結果を選択する場合についても同様に想定される。例えば、複数のレイアウト結果のなかからいずれかを選択し、選択したレイアウト結果からレイアウトを抽出して現在作成中の文書に適用する構成においては、レイアウト結果をレイアウトテンプレートと同様に取り扱うことができるからである。
【００１０】
そこで、本発明は、このような従来の技術の有する未解決の課題に着目してなされたものであって、複数の読み手が受ける印象を考慮してレイアウトを行うのに好適なレイアウト支援システムおよびレイアウト支援プログラム、並びにレイアウト支援方法を提供することを目的としている。
【課題を解決するための手段】
【００１１】
〔発明１〕  上記目的を達成するために、発明１のレイアウト支援システムは、
レイアウトテンプレートまたはレイアウト結果からなるレイアウト評価対象を、当該レイアウト評価対象のレイアウトを複数の評価者が感性評価した結果の分布を示す分布情報と対応付けて提示するようになっていることを特徴とする。
このような構成であれば、レイアウト評価対象が、そのレイアウトを複数の評価者が感性評価した結果の分布を示す分布情報と対応付けられて提示される。
【００１２】
ユーザは、提示された分布情報を参照し、複数の読み手が受ける印象を検討した上で、自己の要望に適合したレイアウト評価対象を決定することができる。なお、レイアウト評価結果がレイアウトテンプレートである場合は、例えば、決定したレイアウトテンプレートに従って自動レイアウトを行うことができる。また、レイアウト評価結果がレイアウト結果である場合は、例えば、決定したレイアウト結果からレイアウトを抽出し、抽出したレイアウトとなるように自動レイアウトを行うことができる。いずれの場合も、公知の自動レイアウトシステムにより容易に実現することができる。
【００１３】
これにより、ユーザは、読み手のうち何人が想定した通りの印象を受け、何人がそれとは異なる印象を受けるかをレイアウト作業の段階で把握することができるので、従来に比して、複数の読み手が受ける印象を考慮してレイアウトを行うことができるという効果が得られる。
ここで、提示とは、レイアウト評価対象および分布情報を表示装置等で表示することのほか、レイアウト評価対象および分布情報を印刷装置等で印刷すること、並びに、ネットワークを介してユーザと通信するような場合は、レイアウト評価対象および分布情報をユーザ端末に送信することも含まれる。したがって、提示には、少なくとも表示、印刷および送信が含まれる。以下、発明２および１１のレイアウト支援システム、発明１３、１４および２３のレイアウト支援プログラム、並びに発明２５、２６および３５のレイアウト支援方法において同じである。
【００１４】
また、レイアウト評価対象を提示することには、レイアウト評価対象そのものを提示することのほか、レイアウト評価対象を識別するための識別情報を提示することも含まれる。識別情報としては、例えば、レイアウト評価対象若しくはそのレイアウトを模式化した図、レイアウト評価対象のリンク先、またはレイアウト評価対象の名称、番号若しくはＩＤが考えられる。以下、発明２および１１のレイアウト支援システム、発明１３、１４および２３のレイアウト支援プログラム、並びに発明２５、２６および３５のレイアウト支援方法において同じである。
【００１５】
また、レイアウトとは、例えば、画面上に表示することを目的としてレイアウトを行う場合にはその表示レイアウトを、紙面上に印刷することを目的としてレイアウトを行う場合にはその印刷レイアウトをいう。以下、発明２および１１のレイアウト支援システム、発明１３、１４および２３のレイアウト支援プログラム、並びに発明２５、２６および３５のレイアウト支援方法において同じである。
【００１６】
〔発明２〕  さらに、発明２のレイアウト支援システムは、
レイアウトテンプレートまたはレイアウト結果からなるレイアウト評価対象を、当該レイアウト評価対象のレイアウトを複数の評価者が感性評価した結果と対応付けて提示するレイアウト支援システムであって、
前記レイアウト評価対象を、前記感性評価の評価項目および前記感性評価の評価結果の分布を示す統計情報と対応付けて記憶するレイアウト評価対象記憶手段と、
前記評価項目を入力する評価項目入力手段と、
前記評価項目入力手段で入力した評価項目に対応するレイアウト評価対象および統計情報を前記レイアウト評価対象記憶手段のなかから検索するレイアウト評価対象検索手段と、
前記レイアウト評価対象検索手段で索出したレイアウト評価対象を提示するとともに、前記レイアウト評価対象検索手段で索出した統計情報に基づいて前記評価結果の分布を示す分布情報を提示するレイアウト評価対象提示手段とを備えることを特徴とする。
【００１７】
このような構成であれば、ユーザは、感性評価の評価項目を評価項目入力手段で入力する。評価項目入力手段により評価項目が入力されると、レイアウト評価対象検索手段により、入力された評価項目に対応するレイアウト評価対象および統計情報がレイアウト評価対象記憶手段のなかから検索される。その結果、該当のものが索出されると、レイアウト評価対象提示手段により、索出されたレイアウト評価対象が提示されるとともに、索出された統計情報に基づいて、そのレイアウトを複数の評価者が感性評価した結果の分布を示す分布情報が提示される。
【００１８】
ユーザは、提示された分布情報を参照し、複数の読み手が受ける印象を検討した上で、自己の要望に適合したレイアウト評価対象を決定することができる。なお、レイアウト評価結果がレイアウトテンプレートである場合は、例えば、決定したレイアウトテンプレートに従って自動レイアウトを行うことができる。また、レイアウト評価結果がレイアウト結果である場合は、例えば、決定したレイアウト結果からレイアウトを抽出し、抽出したレイアウトとなるように自動レイアウトを行うことができる。いずれの場合も、公知の自動レイアウトシステムにより容易に実現することができる。
【００１９】
これにより、ユーザは、読み手のうち何人が想定した通りの印象を受け、何人がそれとは異なる印象を受けるかをレイアウト作業の段階で把握することができるので、従来に比して、複数の読み手が受ける印象を考慮してレイアウトを行うことができるという効果が得られる。
ここで、統計情報および分布情報は、評価結果の分布を示すものであればよく、両者は、同一の内容のものであってもよいし、それぞれ異なる内容のものであってもよい。統計情報および分布情報が同一の内容である場合は、統計情報そのものを提示する。これに対し、統計情報および分布情報がそれぞれ異なる内容のものである場合は、統計情報に基づいて分布情報を生成し、生成した分布情報を提示する。例えば、統計情報が平均および標準偏差であり、分布情報が信頼区間である場合、両者はいずれも評価結果の分布を示すものではあるが、内容はそれぞれ異なっている。以下、発明１１のレイアウト支援システム、発明１４および２３のレイアウト支援プログラム、並びに発明２６および３５のレイアウト支援方法において同じである。
【００２０】
また、レイアウト評価対象記憶手段は、レイアウト評価対象、評価項目および統計情報をあらゆる手段でかつあらゆる時期に記憶するものであり、レイアウト評価対象、評価項目または統計情報をあらかじめ記憶してあるものであってもよいし、レイアウト評価対象、評価項目または統計情報をあらかじめ記憶することなく、本システムの動作時に外部からの入力等によってレイアウト評価対象、評価項目または統計情報を記憶するようになっていてもよい。
【００２１】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明１１のレイアウト支援システムにおいて同じである。
【００２２】
〔発明３〕  さらに、発明３のレイアウト支援システムは、発明２のレイアウト支援システムにおいて、
前記統計情報は、前記感性評価の評価値の平均値および標準偏差であることを特徴とする。
このような構成であれば、レイアウト評価対象提示手段により、感性評価の評価値の平均値および標準偏差に基づいて分布情報が提示される。
これにより、感性評価の評価結果の分布がより具体的に提示されるので、ユーザは、複数の読み手が受ける印象をさらに詳細に把握することができるという効果が得られる。
【００２３】
〔発明４〕  さらに、発明４のレイアウト支援システムは、発明２のレイアウト支援システムにおいて、
前記統計情報は、前記感性評価の評価値の最大値および最小値であることを特徴とする。
このような構成であれば、レイアウト評価対象提示手段により、感性評価の評価値の最大値および最小値に基づいて分布情報が提示される。
これにより、感性評価の評価結果の分布がより具体的に提示されるので、ユーザは、複数の読み手が受ける印象をさらに詳細に把握することができるという効果が得られる。
【００２４】
〔発明５〕  さらに、発明５のレイアウト支援システムは、発明２のレイアウト支援システムにおいて、
前記統計情報は、前記感性評価の評価値が取り得る範囲に複数の代表値を設定したときの各代表値の度数であることを特徴とする。
このような構成であれば、レイアウト評価対象提示手段により、感性評価の評価値が取り得る範囲内に設定された各代表値の度数（いわゆる度数分布）に基づいて分布情報が提示される。
これにより、感性評価の評価結果の分布がより具体的に提示されるので、ユーザは、複数の読み手が受ける印象をさらに詳細に把握することができるという効果が得られる。
【００２５】
〔発明６〕  さらに、発明６のレイアウト支援システムは、発明２ないし５のいずれか１のレイアウト支援システムにおいて、
さらに、信頼度を入力する信頼度入力手段を備え、
前記レイアウト評価対象提示手段は、前記レイアウト評価対象検索手段で索出した統計情報および前記信頼度入力手段で入力した信頼度に基づいて、前記評価結果の分布の信頼区間を算出し、算出した信頼区間を前記分布情報として提示するようになっていることを特徴とする。
【００２６】
このような構成であれば、ユーザは、信頼度入力手段で信頼度を入力する。信頼度入力手段により信頼度が入力されると、レイアウト評価対象提示手段により、索出された統計情報および入力された信頼度に基づいて、評価結果の分布の信頼区間が算出され、算出された信頼区間が分布情報として提示される。
これにより、ユーザは、入力した信頼度に対応する信頼区間が提示されるので、評価結果の分布のうち判断に必要な部分を抜粋することができるという効果が得られる。
【００２７】
〔発明７〕  さらに、発明７のレイアウト支援システムは、発明２ないし５のいずれか１のレイアウト支援システムにおいて、
前記レイアウト評価対象提示手段は、前記レイアウト評価対象検索手段で索出した統計情報に基づいて、前記評価結果の分布のうち所定区間の分布度合いを算出し、算出した分布度合いを前記分布情報として提示するようになっていることを特徴とする。
【００２８】
このような構成であれば、レイアウト評価対象提示手段により、索出された統計情報に基づいて、評価結果の分布のうち所定区間の分布度合いが算出され、算出された分布度合いが分布情報として提示される。
これにより、所定区間の設定によっては、ユーザは、読み手のうち何人が想定した通りの印象を受けるか、または何人がそれとは異なる印象を受けるかを把握しやすくなるという効果が得られる。
【００２９】
〔発明８〕  さらに、発明８のレイアウト支援システムは、発明７のレイアウト支援システムにおいて、
前記レイアウト評価対象提示手段は、前記評価結果の分布のうち所定値を基準としてその両側の区間の分布度合いをそれぞれ算出するようになっていることを特徴とする。
このような構成であれば、レイアウト評価対象提示手段により、評価結果の分布のうち所定値を基準としてその両側の区間の分布度合いがそれぞれ算出され、算出された各分布度合いが分布情報として提示される。
【００３０】
これにより、ユーザは、一方の区間の分布度合いを参照することで、読み手のうち何人が想定した通りの印象を受けるかを把握しやすくなり、他方の区間の分布度合いを参照することで、何人がそれとは異なる印象を受けるかを把握しやすくなるという効果が得られる。
ここで、所定値としては、任意の値を設定することができるが、対となる概念を基準として感性評価する場合、一方の概念が強い方向をプラス方向、他方の概念が強い方向をマイナス方向として定義したときは、中立位置である「０」に設定するのが好ましい。以下、発明１０のレイアウト支援システム、発明２０および２２のレイアウト支援プログラム、並びに発明３２および３４のレイアウト支援方法において同じである。
【００３１】
〔発明９〕  さらに、発明９のレイアウト支援システムは、発明２ないし５のいずれか１のレイアウト支援システムにおいて、
さらに、分布度合いを入力する分布度入力手段を備え、
前記レイアウト評価対象提示手段は、前記レイアウト評価対象検索手段で索出した統計情報に基づいて、前記評価結果の分布のうち所定区間の分布度合いを算出し、算出した分布度合いが、前記分布度入力手段で入力した分布度合い以上であると判定したときは、当該統計情報に係るレイアウト評価対象および分布情報を提示するようになっていることを特徴とする。
【００３２】
このような構成であれば、ユーザは、分布度入力手段で分布度合いを入力する。分布度入力手段により分布度合いが入力されると、レイアウト評価対象提示手段により、索出された統計情報に基づいて、評価結果の分布のうち所定区間の分布度合いが算出され、算出された分布度合いが、入力された分布度合い以上であると判定されると、その統計情報に係るレイアウト評価対象および分布情報が提示される。
これにより、ユーザは、所定区間の分布度合いが、入力した分布度合い以上となるレイアウト評価対象および分布情報だけが提示されるので、レイアウト評価対象を決定しやすくなるという効果が得られる。
【００３３】
〔発明１０〕  さらに、発明１０のレイアウト支援システムは、発明９のレイアウト支援システムにおいて、
前記レイアウト評価対象提示手段は、前記評価結果の分布のうち所定値を基準としてその片側の区間の分布度合いを算出するようになっていることを特徴とする。
【００３４】
このような構成であれば、レイアウト評価対象提示手段により、評価結果の分布のうち所定値を基準としてその片側の区間の分布度合いが算出され、算出された分布度合いが、入力された分布度合い以上であると判定されると、その統計情報に係るレイアウト評価対象および分布情報が提示される。
これにより、ユーザは、所定値を基準としてその片側の区間の分布度合いが、入力した分布度合い以上となるレイアウト評価対象および分布情報だけが提示されるので、レイアウト評価対象をさらに決定しやすくなるという効果が得られる。
【００３５】
〔発明１１〕  さらに、発明１１のレイアウト支援システムは、
レイアウトテンプレートまたはレイアウト結果からなるレイアウト評価対象を、当該レイアウト評価対象のレイアウトを複数の評価者が感性評価した結果と対応付けて提示するレイアウト支援システムであって、
前記レイアウト評価対象を入力するレイアウト評価対象入力手段と、
前記レイアウト評価対象入力手段で入力したレイアウト評価対象を解析してレイアウト特徴量を算出するレイアウト特徴量算出手段と、
前記レイアウト特徴量算出手段で算出したレイアウト特徴量に基づいて前記感性評価の評価結果の分布を示す統計情報を生成する統計情報生成手段と、
前記レイアウト評価対象入力手段で入力したレイアウト評価対象を提示するとともに、前記統計情報生成手段で生成した統計情報に基づいて前記評価結果の分布を示す分布情報を提示するレイアウト評価対象提示手段とを備えることを特徴とする。
【００３６】
このような構成であれば、ユーザは、レイアウト評価対象入力手段でレイアウト評価対象を入力する。レイアウト評価対象入力手段によりレイアウト評価対象が入力されると、レイアウト特徴量算出手段により、入力されたレイアウト評価対象が解析されてレイアウト特徴量が算出され、統計情報生成手段により、算出されたレイアウト特徴量に基づいて統計情報が生成される。そして、レイアウト評価対象提示手段により、入力されたレイアウト評価対象が提示されるとともに、生成された統計情報に基づいて、そのレイアウトを複数の評価者が感性評価した結果の分布を示す分布情報が提示される。
【００３７】
ユーザは、提示された分布情報を参照し、複数の読み手が受ける印象を検討した上で、自己の要望に適合したレイアウト評価対象を決定することができる。なお、レイアウト評価結果がレイアウトテンプレートである場合は、例えば、決定したレイアウトテンプレートに従って自動レイアウトを行うことができる。また、レイアウト評価結果がレイアウト結果である場合は、例えば、決定したレイアウト結果からレイアウトを抽出し、抽出したレイアウトとなるように自動レイアウトを行うことができる。いずれの場合も、公知の自動レイアウトシステムにより容易に実現することができる。
【００３８】
これにより、ユーザは、読み手のうち何人が想定した通りの印象を受け、何人がそれとは異なる印象を受けるかをレイアウト作業の段階で把握することができるので、従来に比して、複数の読み手が受ける印象を考慮してレイアウトを行うことができるという効果が得られる。さらに、統計情報があらかじめ用意されていなくても動的に生成されるので、評価結果の分布をある程度把握することができるという効果も得られる。
【００３９】
〔発明１２〕  さらに、発明１２のレイアウト支援システムは、発明１１のレイアウト支援システムにおいて、
さらに、前記統計情報を生成するための回帰式の係数を前記感性評価の評価項目と対応付けて記憶する係数記憶手段と、
前記評価項目を入力する評価項目入力手段と、
前記評価項目入力手段で入力した評価項目に対応する回帰式の係数を前記係数記憶手段のなかから検索する係数検索手段とを備え、
前記統計情報生成手段は、前記レイアウト特徴量算出手段で算出したレイアウト特徴量および前記係数検索手段で索出した回帰式の係数に基づいて前記回帰式により前記統計情報を生成するようになっていることを特徴とする。
【００４０】
このような構成であれば、ユーザは、感性評価の評価項目を評価項目入力手段で入力する。評価項目入力手段により評価項目が入力されると、係数検索手段により、入力された評価項目に対応する回帰式の係数が係数記憶手段のなかから検索される。そして、統計情報生成手段により、算出されたレイアウト特徴量および索出された回帰式の係数に基づいて回帰式により統計情報が生成される。
【００４１】
これにより、評価結果の分布をさらに正確に求めることができるという効果が得られる。
ここで、係数記憶手段は、回帰式の係数および評価項目をあらゆる手段でかつあらゆる時期に記憶するものであり、回帰式の係数または評価項目をあらかじめ記憶してあるものであってもよいし、回帰式の係数または評価項目をあらかじめ記憶することなく、本システムの動作時に外部からの入力等によって回帰式の係数または評価項目を記憶するようになっていてもよい。
【００４２】
〔発明１３〕  一方、上記目的を達成するために、発明１３のレイアウト支援プログラムは、
レイアウトテンプレートまたはレイアウト結果からなるレイアウト評価対象を、当該レイアウト評価対象のレイアウトを複数の評価者が感性評価した結果の分布を示す分布情報と対応付けて提示する処理をコンピュータに実行させるためのプログラムであることを特徴とする。
【００４３】
このような構成であれば、コンピュータによってプログラムが読み取られ、読み取られたプログラムに従ってコンピュータが処理を実行すると、発明１のレイアウト支援システムと同等の作用および効果が得られる。
【００４４】
〔発明１４〕  さらに、発明１４のレイアウト支援プログラムは、
レイアウトテンプレートまたはレイアウト結果からなるレイアウト評価対象を、当該レイアウト評価対象のレイアウトを複数の評価者が感性評価した結果と対応付けて提示するレイアウト支援プログラムであって、
前記感性評価の評価項目を入力する評価項目入力ステップと、
前記レイアウト評価対象を、前記評価項目および前記感性評価の評価結果の分布を示す統計情報と対応付けて記憶したレイアウト評価対象記憶手段のなかから、前記評価項目入力ステップで入力した評価項目に対応するレイアウト評価対象および統計情報を検索するレイアウト評価対象検索ステップと、
前記レイアウト評価対象検索ステップで索出したレイアウト評価対象を提示するとともに、前記レイアウト評価対象検索ステップで索出した統計情報に基づいて前記評価結果の分布を示す分布情報を提示するレイアウト評価対象提示ステップとをコンピュータに実行させるためのプログラムであることを特徴とする。
【００４５】
このような構成であれば、コンピュータによってプログラムが読み取られ、読み取られたプログラムに従ってコンピュータが処理を実行すると、発明２のレイアウト支援システムと同等の作用および効果が得られる。
【００４６】
〔発明１５〕  さらに、発明１５のレイアウト支援プログラムは、発明１４のレイアウト支援プログラムにおいて、
前記統計情報は、前記感性評価の評価値の平均値および標準偏差であることを特徴とする。
このような構成であれば、コンピュータによってプログラムが読み取られ、読み取られたプログラムに従ってコンピュータが処理を実行すると、発明３のレイアウト支援システムと同等の作用および効果が得られる。
【００４７】
〔発明１６〕  さらに、発明１６のレイアウト支援プログラムは、発明１４のレイアウト支援プログラムにおいて、
前記統計情報は、前記感性評価の評価値の最大値および最小値であることを特徴とする。
このような構成であれば、コンピュータによってプログラムが読み取られ、読み取られたプログラムに従ってコンピュータが処理を実行すると、発明４のレイアウト支援システムと同等の作用および効果が得られる。
【００４８】
〔発明１７〕  さらに、発明１７のレイアウト支援プログラムは、発明１４のレイアウト支援プログラムにおいて、
前記統計情報は、前記感性評価の評価値が取り得る範囲に複数の代表値を設定したときの各代表値の度数であることを特徴とする。
このような構成であれば、コンピュータによってプログラムが読み取られ、読み取られたプログラムに従ってコンピュータが処理を実行すると、発明５のレイアウト支援システムと同等の作用および効果が得られる。
【００４９】
〔発明１８〕  さらに、発明１８のレイアウト支援プログラムは、発明１４ないし１７のいずれか１のレイアウト支援プログラムにおいて、
さらに、信頼度を入力する信頼度入力ステップをコンピュータに実行させるためのプログラムを含み、
前記レイアウト評価対象提示ステップは、前記レイアウト評価対象検索ステップで索出した統計情報および前記信頼度入力ステップで入力した信頼度に基づいて、前記評価結果の分布の信頼区間を算出し、算出した信頼区間を前記分布情報として提示することを特徴とする。
このような構成であれば、コンピュータによってプログラムが読み取られ、読み取られたプログラムに従ってコンピュータが処理を実行すると、発明６のレイアウト支援システムと同等の作用および効果が得られる。
【００５０】
〔発明１９〕  さらに、発明１９のレイアウト支援プログラムは、発明１４ないし１７のいずれか１のレイアウト支援プログラムにおいて、
前記レイアウト評価対象提示ステップは、前記レイアウト評価対象検索ステップで索出した統計情報に基づいて、前記評価結果の分布のうち所定区間の分布度合いを算出し、算出した分布度合いを前記分布情報として提示することを特徴とする。
このような構成であれば、コンピュータによってプログラムが読み取られ、読み取られたプログラムに従ってコンピュータが処理を実行すると、発明７のレイアウト支援システムと同等の作用および効果が得られる。
【００５１】
〔発明２０〕  さらに、発明２０のレイアウト支援プログラムは、発明１９のレイアウト支援プログラムにおいて、
前記レイアウト評価対象提示ステップは、前記評価結果の分布のうち所定値を基準としてその両側の区間の分布度合いをそれぞれ算出することを特徴とする。
このような構成であれば、コンピュータによってプログラムが読み取られ、読み取られたプログラムに従ってコンピュータが処理を実行すると、発明８のレイアウト支援システムと同等の作用および効果が得られる。
【００５２】
〔発明２１〕  さらに、発明２１のレイアウト支援プログラムは、発明１４ないし１７のいずれか１のレイアウト支援プログラムにおいて、
さらに、分布度合いを入力する分布度入力ステップをコンピュータに実行させるためのプログラムを含み、
前記レイアウト評価対象提示ステップは、前記レイアウト評価対象検索ステップで索出した統計情報に基づいて、前記評価結果の分布のうち所定区間の分布度合いを算出し、算出した分布度合いが、前記分布度入力ステップで入力した分布度合い以上であると判定したときは、当該統計情報に係るレイアウト評価対象および分布情報を提示することを特徴とする。
このような構成であれば、コンピュータによってプログラムが読み取られ、読み取られたプログラムに従ってコンピュータが処理を実行すると、発明９のレイアウト支援システムと同等の作用および効果が得られる。
【００５３】
〔発明２２〕  さらに、発明２２のレイアウト支援プログラムは、発明２１のレイアウト支援プログラムにおいて、
前記レイアウト評価対象提示ステップは、前記評価結果の分布のうち所定値を基準としてその片側の区間の分布度合いを算出することを特徴とする。
このような構成であれば、コンピュータによってプログラムが読み取られ、読み取られたプログラムに従ってコンピュータが処理を実行すると、発明１０のレイアウト支援システムと同等の作用および効果が得られる。
【００５４】
〔発明２３〕  さらに、発明２３のレイアウト支援プログラムは、
レイアウトテンプレートまたはレイアウト結果からなるレイアウト評価対象を、当該レイアウト評価対象のレイアウトを複数の評価者が感性評価した結果と対応付けて提示するレイアウト支援プログラムであって、
前記レイアウト評価対象を入力するレイアウト評価対象入力ステップと、
前記レイアウト評価対象入力ステップで入力したレイアウト評価対象を解析してレイアウト特徴量を算出するレイアウト特徴量算出ステップと、
前記レイアウト特徴量算出ステップで算出したレイアウト特徴量に基づいて前記感性評価の評価結果の分布を示す統計情報を生成する統計情報生成ステップと、
前記レイアウト評価対象入力ステップで入力したレイアウト評価対象を提示するとともに、前記統計情報生成ステップで生成した統計情報に基づいて前記評価結果の分布を示す分布情報を提示するレイアウト評価対象提示ステップとをコンピュータに実行させるためのプログラムであることを特徴とする。
【００５５】
このような構成であれば、コンピュータによってプログラムが読み取られ、読み取られたプログラムに従ってコンピュータが処理を実行すると、発明１１のレイアウト支援システムと同等の作用および効果が得られる。
【００５６】
〔発明２４〕  さらに、発明２４のレイアウト支援プログラムは、発明２３のレイアウト支援プログラムにおいて、
さらに、前記感性評価の評価項目を入力する評価項目入力ステップと、
前記統計情報を生成するための回帰式の係数を前記評価項目と対応付けて記憶した係数記憶手段のなかから、前記評価項目入力ステップで入力した評価項目に対応する回帰式の係数を検索する係数検索ステップとをコンピュータに実行させるためのプログラムを含み、
前記統計情報生成ステップは、前記レイアウト特徴量算出ステップで算出したレイアウト特徴量および前記係数検索ステップで索出した回帰式の係数に基づいて前記回帰式により前記統計情報を生成することを特徴とする。
【００５７】
このような構成であれば、コンピュータによってプログラムが読み取られ、読み取られたプログラムに従ってコンピュータが処理を実行すると、発明１２のレイアウト支援システムと同等の作用および効果が得られる。
【００５８】
〔発明２５〕  一方、上記目的を達成するために、発明２５のレイアウト支援方法は、
レイアウトテンプレートまたはレイアウト結果からなるレイアウト評価対象を、当該レイアウト評価対象のレイアウトを複数の評価者が感性評価した結果の分布を示す分布情報と対応付けて提示することを特徴とする。
これにより、発明１のレイアウト支援システムと同等の効果が得られる。
【００５９】
〔発明２６〕  さらに、発明２６のレイアウト支援方法は、
レイアウトテンプレートまたはレイアウト結果からなるレイアウト評価対象を、当該レイアウト評価対象のレイアウトを複数の評価者が感性評価した結果と対応付けて提示するレイアウト支援方法であって、
前記感性評価の評価項目を入力する評価項目入力ステップと、
前記レイアウト評価対象を、前記評価項目および前記感性評価の評価結果の分布を示す統計情報と対応付けて記憶したレイアウト評価対象記憶手段のなかから、前記評価項目入力ステップで入力した評価項目に対応するレイアウト評価対象および統計情報を検索するレイアウト評価対象検索ステップと、
前記レイアウト評価対象検索ステップで索出したレイアウト評価対象を提示するとともに、前記レイアウト評価対象検索ステップで索出した統計情報に基づいて前記評価結果の分布を示す分布情報を提示するレイアウト評価対象提示ステップとを含むことを特徴とする。
これにより、発明２のレイアウト支援システムと同等の効果が得られる。
【００６０】
〔発明２７〕  さらに、発明２７のレイアウト支援方法は、発明２６のレイアウト支援方法において、
前記統計情報は、前記感性評価の評価値の平均値および標準偏差であることを特徴とする。
これにより、発明３のレイアウト支援システムと同等の効果が得られる。
【００６１】
〔発明２８〕  さらに、発明２８のレイアウト支援方法は、発明２６のレイアウト支援方法において、
前記統計情報は、前記感性評価の評価値の最大値および最小値であることを特徴とする。
これにより、発明４のレイアウト支援システムと同等の効果が得られる。
【００６２】
〔発明２９〕  さらに、発明２９のレイアウト支援方法は、発明２６のレイアウト支援方法において、
前記統計情報は、前記感性評価の評価値が取り得る範囲に複数の代表値を設定したときの各代表値の度数であることを特徴とする。
これにより、発明５のレイアウト支援システムと同等の効果が得られる。
【００６３】
〔発明３０〕  さらに、発明３０のレイアウト支援方法は、発明２６ないし２９のいずれか１のレイアウト支援方法において、
さらに、信頼度を入力する信頼度入力ステップを含み、
前記レイアウト評価対象提示ステップは、前記レイアウト評価対象検索ステップで索出した統計情報および前記信頼度入力ステップで入力した信頼度に基づいて、前記評価結果の分布の信頼区間を算出し、算出した信頼区間を前記分布情報として提示することを特徴とする。
これにより、発明６のレイアウト支援システムと同等の効果が得られる。
【００６４】
〔発明３１〕  さらに、発明３１のレイアウト支援方法は、発明２６ないし２９のいずれか１のレイアウト支援方法において、
前記レイアウト評価対象提示ステップは、前記レイアウト評価対象検索ステップで索出した統計情報に基づいて、前記評価結果の分布のうち所定区間の分布度合いを算出し、算出した分布度合いを前記分布情報として提示することを特徴とする。
これにより、発明７のレイアウト支援システムと同等の効果が得られる。
【００６５】
〔発明３２〕  さらに、発明３２のレイアウト支援方法は、発明３１のレイアウト支援方法において、
前記レイアウト評価対象提示ステップは、前記評価結果の分布のうち所定値を基準としてその両側の区間の分布度合いをそれぞれ算出することを特徴とする。
これにより、発明８のレイアウト支援システムと同等の効果が得られる。
【００６６】
〔発明３３〕  さらに、発明３３のレイアウト支援方法は、発明２６ないし２９のいずれか１のレイアウト支援方法において、
さらに、分布度合いを入力する分布度入力ステップを含み、
前記レイアウト評価対象提示ステップは、前記レイアウト評価対象検索ステップで索出した統計情報に基づいて、前記評価結果の分布のうち所定区間の分布度合いを算出し、算出した分布度合いが、前記分布度入力ステップで入力した分布度合い以上であると判定したときは、当該統計情報に係るレイアウト評価対象および分布情報を提示することを特徴とする。
これにより、発明９のレイアウト支援システムと同等の効果が得られる。
【００６７】
〔発明３４〕  さらに、発明３４のレイアウト支援方法は、発明３３のレイアウト支援方法において、
前記レイアウト評価対象提示ステップは、前記評価結果の分布のうち所定値を基準としてその片側の区間の分布度合いを算出することを特徴とする。
これにより、発明１０のレイアウト支援システムと同等の効果が得られる。
【００６８】
〔発明３５〕  さらに、発明３５のレイアウト支援方法は、
レイアウトテンプレートまたはレイアウト結果からなるレイアウト評価対象を、当該レイアウト評価対象のレイアウトを複数の評価者が感性評価した結果と対応付けて提示するレイアウト支援方法であって、
前記レイアウト評価対象を入力するレイアウト評価対象入力ステップと、
前記レイアウト評価対象入力ステップで入力したレイアウト評価対象を解析してレイアウト特徴量を算出するレイアウト特徴量算出ステップと、
前記レイアウト特徴量算出ステップで算出したレイアウト特徴量に基づいて前記感性評価の評価結果の分布を示す統計情報を生成する統計情報生成ステップと、
前記レイアウト評価対象入力ステップで入力したレイアウト評価対象を提示するとともに、前記統計情報生成ステップで生成した統計情報に基づいて前記評価結果の分布を示す分布情報を提示するレイアウト評価対象提示ステップとを含むことを特徴とする。
これにより、発明１１のレイアウト支援システムと同等の効果が得られる。
【００６９】
〔発明３６〕  さらに、発明３６のレイアウト支援方法は、発明３５のレイアウト支援方法において、
さらに、前記感性評価の評価項目を入力する評価項目入力ステップと、
前記統計情報を生成するための回帰式の係数を前記評価項目と対応付けて記憶した係数記憶手段のなかから、前記評価項目入力ステップで入力した評価項目に対応する回帰式の係数を検索する係数検索ステップとを含み、
前記統計情報生成ステップは、前記レイアウト特徴量算出ステップで算出したレイアウト特徴量および前記係数検索ステップで索出した回帰式の係数に基づいて前記回帰式により前記統計情報を生成することを特徴とする。
これにより、発明１２のレイアウト支援システムと同等の効果が得られる。
【発明を実施するための最良の形態】
【００７０】
以下、本発明の実施の第１の形態を図面を参照しながら説明する。図１ないし図１７は、本発明に係るレイアウト支援システムおよびレイアウト支援プログラム、並びにレイアウト支援方法の第１の実施の形態を示す図である。
本実施の形態は、本発明に係るレイアウト支援システムおよびレイアウト支援プログラム、並びにレイアウト支援方法を、複数のレイアウトテンプレートのなかからいずれかをユーザに選択させ、選択されたレイアウトテンプレートに従って自動レイアウトを行う場合について適用したものである。
【００７１】
本実施の形態では、まず、複数のレイアウトテンプレートを用意する。レイアウトテンプレートは、文字情報、画像情報、タイトル情報その他レイアウトを構成可能な要素（以下、レイアウト要素という。）を格納するための情報格納枠を所定のレイアウト領域に１または複数配置したレイアウトを規定したものである。レイアウトテンプレートとしては、例えば、特開２００２−２９７５７１号公報に開示されているレイアウト定義ファイルを利用することができる。
【００７２】
次に、各レイアウトテンプレートごとに、そのレイアウトについて感性評価を行う。感性評価は、意味的に対称となる２つの印象語を対として、印象語対のうち一方の印象語から受ける印象が強い方向を正の方向、他方の印象語から受ける印象が強い方向を負の方向として感性軸を定義し、評価者が、レイアウトテンプレートのレイアウトから受ける印象のうち感性軸に沿った印象の度合いを評価することにより行う。評価者は、レイアウトテンプレートのレイアウトから受ける印象が、印象語対のうち一方の印象語から受ける印象に適合していると感じた場合は、その印象の度合いを定量化して正の値（例えば、「０」より大きくかつ「２」以下の値）として評価し、逆に、他方の印象語から受ける印象に適合していると感じた場合は、その印象の度合いを定量化して負の値（例えば、「０」より小さくかつ「−２」以上の値）として評価する。また、印象語対のうちいずれの印象語からも印象を受けない場合、または印象語対のうち両方の印象語から受ける印象の度合いが同等の場合は、「０」として評価する。
【００７３】
次に、本発明を適用するレイアウト装置１００の機能概要を図１を参照しながら詳細に説明する。
図１は、レイアウト装置１００の機能概要を示す機能ブロック図である。
レイアウト装置１００は、図１に示すように、複数の印象語対を登録した印象語対登録データベース（以下、データベースのことを単にＤＢと略記する。）１０と、複数のレイアウトテンプレートを登録したテンプレート登録ＤＢ１２とを有して構成されている。
【００７４】
テンプレート登録ＤＢ１２は、感性評価に用いた印象語対、並びに感性評価の評価値（以下、単に評価値という。）の平均値および標準偏差からなる統計情報と対応付けてレイアウトテンプレートを登録している。
レイアウト装置１００は、さらに、印象語対登録ＤＢ１０のなかから印象語対をユーザに選択させて入力する印象語対入力部１４と、印象語対入力部１４で入力した印象語対に対応するレイアウトテンプレートおよび統計情報をテンプレート登録ＤＢ１２のなかから検索するテンプレート検索部１６とを有して構成されている。
【００７５】
レイアウト装置１００は、さらに、表示モードを切り換える表示モード切換部１８と、信頼度を入力する信頼度入力部２０と、許容頻度を入力する許容頻度入力部２２と、テンプレート検索部１６で索出したレイアウトテンプレートを分布情報と対応付けて表示するテンプレート表示部２４とを有して構成されている。
表示モード切換部１８は、３つの表示モードのうちいずれかに表示モードを切り換える。第１表示モードは、評価値の分布の信頼区間を分布情報として表示するモードである。また、第２表示モードは、正負２つの区間の頻度をそれぞれ分布情報として表示するモードである。また、第３表示モードは、評価値の分布のうち「０」を基準としてその片側の区間（「０」を基準としてその両側の区間のうちユーザが指定した区間。以下、指定区間という。）の頻度が許容頻度以上となるレイアウトテンプレートおよび分布情報だけを表示するモードである。
【００７６】
テンプレート表示部２４は、表示モード切換部１８により第１表示モードに切り換えられた場合は、テンプレート検索部１６で索出した統計情報および信頼度入力部２０で入力した信頼度に基づいて評価値の分布の信頼区間を算出し、算出した信頼区間を分布情報として表示する。また、表示モード切換部１８により第２表示モードに切り換えられた場合は、テンプレート検索部１６で索出した統計情報に基づいて、評価値の分布のうち「０」を基準としてその両側の区間の頻度をそれぞれ算出し、算出した頻度を分布情報として表示する。また、表示モード切換部１８により第３表示モードに切り換えられた場合は、テンプレート検索部１６で索出した統計情報に基づいて、評価値の分布のうち指定区間の頻度を算出し、算出した頻度が、許容頻度入力部２２で入力した許容頻度以上であると判定したときは、その統計情報に係るレイアウトテンプレートおよび分布情報を表示する。
【００７７】
レイアウト装置１００は、さらに、テンプレート表示部２４で表示したレイアウトテンプレートのなかからいずれかをユーザに選択させるテンプレート選択部２６と、複数のレイアウト要素を登録したレイアウト要素登録ＤＢ２８と、レイアウト要素登録ＤＢ２８のなかからレイアウト要素を選択するレイアウト要素選択部３０と、レイアウトテンプレートに従ってレイアウト要素をレイアウトするレイアウト部３２とを有して構成されている。
【００７８】
レイアウト部３２は、テンプレート選択部２６で選択したレイアウトテンプレートに従って、レイアウト要素選択部３０で選択したレイアウト要素を情報格納枠に格納することによりレイアウトを行う。
次に、レイアウト装置１００の構成を図２ないし図８を参照しながら説明する。
図２は、レイアウト装置１００のハードウェア構成を示すブロック図である。
【００７９】
レイアウト装置１００は、図２に示すように、制御プログラムに基づいて演算およびシステム全体を制御するＣＰＵ５０と、所定領域にあらかじめＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、外部装置に対してデータの入出力を媒介するＩ／Ｆ５８とで構成されており、これらは、データを転送するための信号線であるバス５９で相互にかつデータ授受可能に接続されている。
【００８０】
Ｉ／Ｆ５８には、外部装置として、ヒューマンインターフェースとしてデータの入力が可能なキーボードやマウス等からなる入力装置６０と、データやテーブル等をファイルとして格納する記憶装置６２と、画像信号に基づいて画面を表示する表示装置６４とが接続されている。
記憶装置６２は、印象語対登録ＤＢ１０、テンプレート登録ＤＢ１２およびレイアウト要素登録ＤＢ２８を構成している。
【００８１】
記憶装置６２は、印象語対を登録した印象語対登録テーブル４００を記憶している。
図３は、印象語対登録テーブル４００のデータ構造を示す図である。
印象語対登録テーブル４００は、図３に示すように、各印象語対ごとに１つのレコードが登録されている。各レコードは、印象語対に対して一意に割り当てられるシリアル番号を登録するフィールド４０２と、印象語対のうち一方の印象語を登録するフィールド４０４と、印象語対のうち他方の印象語を登録するフィールド４０６とを含んで構成されている。
【００８２】
図３の例では、第１段目のレコードには、シリアル番号として「０」が、一方の印象語として「軽薄な」が、他方の印象語として「重厚な」がそれぞれ登録されている。これは、「軽薄な」という印象語と、「重厚な」という印象語を印象語対として定義し、その印象語対がシリアル番号「０」により特定することができることを示している。
記憶装置６２は、さらに、複数のレイアウトテンプレートと、各レイアウトテンプレートを管理するテンプレート管理テーブル４４０とを記憶している。
【００８３】
図４は、テンプレート管理テーブル４４０のデータ構造を示す図である。
テンプレート管理テーブル４４０は、図４に示すように、各レイアウトテンプレートごとに１つのレコードが登録されている。各レコードは、レイアウトテンプレートに対して一意に割り当てられるシリアル番号を登録するフィールド４４２と、レイアウトテンプレートの格納先を示すＵＲＬ（Uniform Resource Locator）を登録するフィールド４４４と、レイアウトテンプレートに対応付けられている印象語対の数を登録するフィールド４４６とを含んで構成されている。さらに、レイアウトテンプレートに対応付けられている印象語対１つにつき、３つのフィールド４４８〜４５２を含んで構成される。フィールド４４８〜４５２は、印象語対に対して一意に割り当てられるシリアル番号、評価値の平均値、および評価値の標準偏差をそれぞれ登録する。
【００８４】
図４の例では、シリアル番号として「０」が、ＵＲＬとして「http://192.168.10.11/zero」が、印象語対の数として「５」がそれぞれ登録されている。これは、レイアウトテンプレート０（シリアル番号「０」により特定されるレイアウトテンプレートをいう。以下、同様に略記する。）は、記憶装置６２の記憶領域のうち上記ＵＲＬで示される場所に記憶されており、レイアウトテンプレート０には、５つの印象語対が対応付けられていることを示している。さらに、例えば、１番目の印象語対については、シリアル番号として「０」が、平均値として「0.084」が、標準偏差として「0.552」がそれぞれ登録されている。これは、レイアウトテンプレート０には、印象語対０（シリアル番号「０」により特定される印象語対をいう。以下、同様に略記する。）が対応付けられており、印象語対０を用いて行ったレイアウトテンプレート０に対する感性評価の評価値の平均値および標準偏差がそれぞれ「0.084」および「0.552」であることを示している。第２番目〜第５番目の印象語対についても同様である。
【００８５】
図２に戻り、ＣＰＵ５０は、マイクロプロセッシングユニット（ＭＰＵ）等からなり、ＲＯＭ５２の所定領域に格納されている所定のプログラムを起動させ、そのプログラムに従って、図５のフローチャートに示すテンプレート選択支援処理を実行するようになっている。
図５は、テンプレート選択支援処理を示すフローチャートである。
【００８６】
テンプレート選択支援処理は、表示モードに応じてレイアウトテンプレートを分布情報と対応付けて表示する処理であって、ＣＰＵ５０において実行されると、図５に示すように、まず、ステップＳ１００に移行するようになっている。
ステップＳ１００では、印象語対登録テーブル４００に登録されている印象語対のなかからいずれかを入力装置６０で選択して入力し、ステップＳ１０２に移行して、現在の表示モードが第１表示モードであるか否かを判定し、第１表示モードであると判定したとき(Yes)は、ステップＳ１０４に移行して、第１テンプレート表示処理を実行し、一連の処理を終了して元の処理に復帰させる。
【００８７】
一方、ステップＳ１０２で、現在の表示モードが第１表示モードでないと判定したとき(No)は、ステップＳ１０６に移行して、現在の表示モードが第２表示モードであるか否かを判定し、第２表示モードであると判定したとき(Yes)は、ステップＳ１０８に移行して、第２テンプレート表示処理を実行し、一連の処理を終了して元の処理に復帰させる。
一方、ステップＳ１０６で、現在の表示モードが第２表示モードでないと判定したとき(No)は、ステップＳ１１０に移行して、現在の表示モードが第３表示モードであるか否かを判定し、第３表示モードであると判定したとき(Yes)は、ステップＳ１１２に移行して、第３テンプレート表示処理を実行し、一連の処理を終了して元の処理に復帰させる。
【００８８】
一方、ステップＳ１１０で、現在の表示モードが第３表示モードでないと判定したとき(No)は、ステップＳ１０２に移行する。
次に、ステップＳ１０４の第１テンプレート表示処理を図６を参照しながら詳細に説明する。
図６は、第１テンプレート表示処理を示すフローチャートである。
【００８９】
第１テンプレート表示処理は、評価値の分布の信頼区間を分布情報として表示する処理であって、ステップＳ１０４において実行されると、図６に示すように、まず、ステップＳ２００に移行するようになっている。
ステップＳ２００では、信頼度を入力装置６０から入力し、ステップＳ２０２に移行して、ステップＳ１００で入力した印象語対に対応するレイアウトテンプレートを記憶装置６２のなかから検索し、ステップＳ２０４に移行する。
【００９０】
ステップＳ２０４では、該当のレイアウトテンプレートを索出したか否かを判定し、該当のレイアウトテンプレートを索出したと判定したとき(Yes)は、ステップＳ２０６に移行して、ステップＳ１００で入力した印象語対および索出したレイアウトテンプレートに対応する統計情報をテンプレート管理テーブル４４０から読み出し、ステップＳ２０８に移行する。
【００９１】
ステップＳ２０８では、読み出した統計情報および入力した信頼度に基づいて評価値の分布の信頼区間を算出し、ステップＳ２１０に移行して、索出したレイアウトテンプレートを表示装置６４に表示するとともに、算出した信頼区間をレイアウトテンプレートと対応付けて表示装置６４に表示し、ステップＳ２０２に移行する。
一方、ステップＳ２０４で、該当のレイアウトテンプレートを索出しないと判定したとき(No)は、一連の処理を終了して元の処理に復帰させる。
【００９２】
次に、ステップＳ１０８の第２テンプレート表示処理を図７を参照しながら詳細に説明する。
図７は、第２テンプレート表示処理を示すフローチャートである。
第２テンプレート表示処理は、正負２つの区間の頻度をそれぞれ分布情報として表示する処理であって、ステップＳ１０８において実行されると、図７に示すように、まず、ステップＳ３００に移行するようになっている。
【００９３】
ステップＳ３００では、ステップＳ１００で入力した印象語対に対応するレイアウトテンプレートを記憶装置６２のなかから検索し、ステップＳ３０２に移行する。
ステップＳ３０２では、該当のレイアウトテンプレートを索出したか否かを判定し、該当のレイアウトテンプレートを索出したと判定したとき(Yes)は、ステップＳ３０４に移行して、ステップＳ１００で入力した印象語対および索出したレイアウトテンプレートに対応する統計情報をテンプレート管理テーブル４４０から読み出し、ステップＳ３０６に移行する。
【００９４】
ステップＳ３０６では、読み出した統計情報に基づいて、評価値の分布のうち評価値が正となる区間の頻度を算出し、ステップＳ３０８に移行して、読み出した統計情報に基づいて、評価値の分布のうち評価値が負となる区間の頻度を算出し、ステップＳ３１０に移行して、索出したレイアウトテンプレートを表示装置６４に表示するとともに、算出した正負２つの区間の頻度をそれぞれレイアウトテンプレートと対応付けて表示装置６４に表示し、ステップＳ３００に移行する。
【００９５】
一方、ステップＳ３０２で、該当のレイアウトテンプレートを索出しないと判定したとき(No)は、一連の処理を終了して元の処理に復帰させる。
次に、ステップＳ１１２の第３テンプレート表示処理を図８を参照しながら詳細に説明する。
図８は、第３テンプレート表示処理を示すフローチャートである。
【００９６】
第３テンプレート表示処理は、評価値の分布のうち指定区間の頻度が許容頻度以上となるレイアウトテンプレートおよび分布情報だけを表示する処理であって、ステップＳ１１２において実行されると、図８に示すように、まず、ステップＳ４００に移行するようになっている。
ステップＳ４００では、ステップＳ１００で入力した印象語対のうちいずれか一方を入力装置６０で選択して入力し、ステップＳ４０２に移行して、許容頻度を入力装置６０から入力し、ステップＳ４０４に移行して、ステップＳ１００で入力した印象語対に対応するレイアウトテンプレートを記憶装置６２のなかから検索し、ステップＳ４０６に移行する。
【００９７】
ステップＳ４０６では、該当のレイアウトテンプレートを索出したか否かを判定し、該当のレイアウトテンプレートを索出したと判定したとき(Yes)は、ステップＳ４０８に移行して、ステップＳ１００で入力した印象語対および索出したレイアウトテンプレートに対応する統計情報をテンプレート管理テーブル４４０から読み出し、ステップＳ４１０に移行する。
【００９８】
ステップＳ４１０では、読み出した統計情報に基づいて、評価値の分布のうち入力した印象語の評価値が属する区間（＝指定区間）の頻度を算出し、ステップＳ４１２に移行する。
ステップＳ４１２では、算出した指定区間の頻度が、入力した許容頻度以上であるか否かを判定し、指定区間の頻度が許容頻度以上であると判定したとき(Yes)は、ステップＳ４１４に移行して、索出したレイアウトテンプレートを表示装置６４に表示するとともに、算出した指定区間の頻度をレイアウトテンプレートと対応付けて表示装置６４に表示し、ステップＳ４０４に移行する。
【００９９】
一方、ステップＳ４１２で、算出した指定区間の頻度が、入力した許容頻度未満であると判定したとき(No)は、ステップＳ４０４に移行する。
一方、ステップＳ４０６で、該当のレイアウトテンプレートを索出しないと判定したとき(No)は、一連の処理を終了して元の処理に復帰させる。
次に、本実施の形態の動作を図面を参照しながら説明する。
【０１００】
図９は、レイアウト装置１００のメイン画面を示す図である。
図９の表示画面には、レイアウトテンプレートの入力を指示するボタン６００と、印象語対を入力するためのボタン６０２と、信頼度の入力を指示するボタン６０４と、許容頻度の入力を指示するボタン６０６と、表示モードを切り換えるためのボタン６０８とが設けられている。
【０１０１】
初めに、レイアウトテンプレートを第１表示モードで表示する場合を説明する。
ユーザは、まず、入力装置６０を操作してボタン６０８をクリックし、表示モードを第１表示モードに切り換える。
図１０は、印象語対を入力するための選択リストを示す図である。
次に、ユーザは、入力装置６０を操作してボタン６０２をクリックすると、図１０に示すように、印象語対登録テーブル４００に登録されている印象語対の一覧が選択リストとして表示装置６４に表示されるので、レイアウトのイメージに適合すると思われる印象語対を選択リストのなかから選択することにより印象語対を入力する。ここで、ユーザは、印象語対として例えば「軽薄な−重厚な」を入力したとする。
【０１０２】
図１１は、信頼度を入力するためのテキストボックスを示す図である。
次に、ユーザは、入力装置６０を操作してボタン６０４をクリックすると、図１１に示すように、数値を入力するテキストボックスが表示装置６４に表示されるので、信頼度を０〜１００％の範囲で入力する。
レイアウト装置１００では、第１表示モードに切り換えられ、印象語対および信頼度が入力されると、ステップＳ２０２を経て、入力された印象語対「軽薄な−重厚な」に対応するレイアウトテンプレートが検索される。その結果、図４のレイアウトテンプレート０が該当するので、レイアウトテンプレート０が索出され、ステップＳ２０６を経て、入力された印象語対および索出されたレイアウトテンプレートに対応する統計情報が読み出される。
【０１０３】
図１２は、評価値の正規分布を示すグラフである。
レイアウトテンプレート０には、印象語対「軽薄な−重厚な」について統計情報として平均値「0.084」および標準偏差「0.552」が対応付けられている。そこで、その統計情報を利用すれば、図１２に示すような正規分布を求めることができる。さらに、入力された信頼度を利用すれば、図１２の正規分布における信頼区間を求めることができる。
【０１０４】
図１３は、レイアウトテンプレート０に対応付けて表示する分布情報を示す図である。
レイアウト装置１００では、統計情報が読み出されると、ステップＳ２０８，Ｓ２１０を経て、読み出された統計情報および入力された信頼度に基づいて評価値の分布の信頼区間が算出され、索出されたレイアウトテンプレート０が表示されるとともに、図１３に示すように、算出された信頼区間がレイアウトテンプレート０と対応付けられて表示される。図１３の例では、「−２」〜「＋２」の範囲が評価値の取り得る範囲を示し、斜線の領域が信頼区間を示している。
【０１０５】
図１４は、第１表示モードにより、レイアウトテンプレートおよび分布情報を対応付けて表示した画面を示す図である。
同様に、ステップＳ２０２〜Ｓ２１０を繰り返し経て、入力された印象語対「軽薄な−重厚な」に対応する他のレイアウトテンプレートが検索され、図１４に示すように、索出されたレイアウトテンプレートが分布情報と対応付けられて表示される。
【０１０６】
図１４の表示画面では、索出されたレイアウトテンプレートのうち２つが表示されており、各レイアウトテンプレートごとに、分布情報およびチェックボックス６１０が対応付けられて表示されている。また、索出された他のレイアウトテンプレートを表示するためのボタン６１２，６１４が表示されている。ここで、ユーザは、表示された分布情報を参照し、複数の読み手が受ける印象を検討した上で、レイアウトのイメージに適合したレイアウトテンプレートを、対応のチェックボックス６１０をチェックすることにより選択することができる。
【０１０７】
レイアウト装置１００では、レイアウトテンプレートが選択されると、レイアウト要素選択部３０により、レイアウト要素登録ＤＢ２８のなかからレイアウト要素が選択され、レイアウト部３２により、選択されたレイアウトテンプレートに従って、選択されたレイアウト要素が情報格納枠に格納することによりレイアウトが行われる。
次に、レイアウトテンプレートを第２表示モードで表示する場合を説明する。
【０１０８】
ユーザは、まず、ボタン６０８，６０２をクリックし、表示モードを第２表示モードに切り換え、レイアウトのイメージに適合すると思われる印象語対を入力する。
レイアウト装置１００では、第２表示モードに切り換えられ、印象語対が入力されると、ステップＳ３００を経て、入力された印象語対に対応するレイアウトテンプレートが検索される。その結果、該当のレイアウトテンプレートが索出されると、ステップＳ３０４〜Ｓ３０８を経て、入力された印象語対および索出されたレイアウトテンプレートに対応する統計情報が読み出され、読み出された統計情報に基づいて、評価値の分布のうち評価値が正となる区間および負となる区間の頻度がそれぞれ算出される。
【０１０９】
図１５は、第２表示モードにより、レイアウトテンプレートおよび分布情報を対応付けて表示した画面を示す図である。
レイアウト装置１００では、正負２つの区間の頻度が算出されると、ステップＳ３１０を経て、索出されたレイアウトテンプレートが表示されるとともに、図１５に示すように、算出された正負２つの区間の頻度がレイアウトテンプレートと対応付けられて表示される。
【０１１０】
図１５の表示画面では、索出されたレイアウトテンプレートのうち２つが表示されており、各レイアウトテンプレートごとに、分布情報およびチェックボックス６１０が対応付けられて表示されている。第１番目のレイアウトテンプレートについては、軽薄という印象を受けた評価者の評価値の頻度が「４４％」で、重厚という印象を受けた評価者の評価値の頻度が「５６％」であることを示している。また、第２番目のレイアウトテンプレートについては、軽薄という印象を受けた評価者の評価値の頻度が「６０％」で、重厚という印象を受けた評価者の評価値の頻度が「４０％」であることを示している。ここで、ユーザは、表示された分布情報を参照し、複数の読み手が受ける印象を検討した上で、レイアウトのイメージに適合したレイアウトテンプレートを、対応のチェックボックス６１０をチェックすることにより選択することができる。
【０１１１】
次に、レイアウトテンプレートを第３表示モードで表示する場合を説明する。
ユーザは、まず、ボタン６０８，６０２をクリックし、表示モードを第３表示モードに切り換え、レイアウトのイメージに適合すると思われる印象語対を入力する。さらに、印象語対のうちいずれか一方を入力する。ここで、ユーザは、例えば、「軽薄な−重厚な」のうち「重厚な」を入力したとする。
【０１１２】
次に、ユーザは、入力装置６０を操作してボタン６０６をクリックし、許容頻度を入力する。
レイアウト装置１００では、第３表示モードに切り換えられ、印象語対、印象語および許容頻度が入力されると、ステップＳ４０４を経て、入力された印象語対に対応するレイアウトテンプレートが検索される。その結果、該当のレイアウトテンプレートが索出されると、ステップＳ４０８，Ｓ４１０を経て、入力された印象語対および索出されたレイアウトテンプレートに対応する統計情報が読み出され、読み出された統計情報に基づいて、評価値の分布のうち入力された印象語「重厚な」の評価値が属する区間の頻度が算出される。
【０１１３】
図１６は、第３表示モードにより、印象語として「重厚な」を入力した場合にレイアウトテンプレートおよび分布情報を対応付けて表示した画面を示す図である。
レイアウト装置１００では、指定区間の頻度が算出されると、ステップＳ４１２を経て、算出された指定区間の頻度が許容頻度以上であるか否かが判定される。その結果、許容頻度以上であると判定されると、ステップＳ４１４を経て、索出されたレイアウトテンプレートが表示されるとともに、図１６に示すように、算出された指定区間の頻度がレイアウトテンプレートと対応付けられて表示される。
【０１１４】
図１６の表示画面では、索出されたレイアウトテンプレートのうち１つが表示されており、各レイアウトテンプレートごとに、分布情報およびチェックボックス６１０が対応付けられて表示されている。表示されたレイアウトテンプレートについては、重厚という印象を受けた評価者の評価値の頻度が許容頻度以上となっている。ここで、ユーザは、表示された分布情報を参照し、複数の読み手が受ける印象を検討した上で、レイアウトのイメージに適合したレイアウトテンプレートを、対応のチェックボックス６１０をチェックすることにより選択することができる。
【０１１５】
図１７は、第３表示モードにより、印象語として「軽薄な」を入力した場合にレイアウトテンプレートおよび分布情報を対応付けて表示した画面を示す図である。
一方、ユーザが印象語として「軽薄な」を入力したとすると、ステップＳ４１０，Ｓ４１２を経て、読み出された統計情報に基づいて、評価値の分布のうち入力された印象語「軽薄な」の評価値が属する区間の頻度が算出され、算出された指定区間の頻度が許容頻度以上であるか否かが判定される。その結果、許容頻度以上であると判定されると、索出されたレイアウトテンプレートが表示されるとともに、図１７に示すように、算出された指定区間の頻度がレイアウトテンプレートと対応付けられて表示される。
【０１１６】
図１７の表示画面では、索出されたレイアウトテンプレートのうち１つが表示されており、各レイアウトテンプレートごとに、分布情報およびチェックボックス６１０が対応付けられて表示されている。表示されたレイアウトテンプレートについては、軽薄という印象を受けた評価者の評価値の頻度が許容頻度以上となっている。
このようにして、本実施の形態では、印象語対を入力し、入力した印象語対に対応するレイアウトテンプレートおよび統計情報を検索し、索出したレイアウトテンプレートを表示するとともに、統計情報に基づいて評価値の分布を示す分布情報を表示するようになっている。
【０１１７】
これにより、ユーザは、読み手のうち何人が想定した通りの印象を受け、何人がそれとは異なる印象を受けるかをレイアウト作業の段階で把握することができるので、従来に比して、複数の読み手が受ける印象を考慮してレイアウトを行うことができる。
さらに、本実施の形態では、統計情報は、評価値の平均値および標準偏差である。
これにより、評価値の分布がより具体的に表示されるので、ユーザは、複数の読み手が受ける印象をさらに詳細に把握することができる。
【０１１８】
さらに、本実施の形態では、信頼度を入力し、統計情報および信頼度に基づいて、評価値の分布の信頼区間を算出し、算出した信頼区間を分布情報として表示するようになっている。
これにより、ユーザは、入力した信頼度に対応する信頼区間が表示されるので、評価値の分布のうち判断に必要な部分を抜粋することができる。
【０１１９】
さらに、本実施の形態では、統計情報に基づいて、評価値の分布のうち評価値が正となる区間および負となる区間の頻度をそれぞれ算出し、算出した正負２つの区間の頻度を分布情報として表示するようになっている。
これにより、ユーザは、評価値が正となる区間の頻度を参照することで、読み手のうち何人が想定した通りの印象を受けるかを把握しやすくなり、評価値が負となる区間の頻度を参照することで、何人がそれとは異なる印象を受けるかを把握しやすくなる。
【０１２０】
さらに、本実施の形態では、許容頻度を入力し、統計情報に基づいて、評価値の分布のうち指定区間の頻度を算出し、算出した指定区間の頻度が許容頻度以上であると判定したときは、その統計情報に係るレイアウトテンプレートおよび分布情報を表示するようになっている。
これにより、ユーザは、指定区間の頻度が許容頻度以上となるレイアウトテンプレートおよび分布情報だけが表示されるので、レイアウトテンプレートを決定しやすくなる。
【０１２１】
上記第１の実施の形態において、テンプレート登録ＤＢ１２および記憶装置６２は、発明２、１４または２６のレイアウト評価対象記憶手段に対応し、印象語対入力部１４、入力装置６０およびステップＳ１００は、発明２の評価項目入力手段に対応し、テンプレート検索部１６およびステップＳ２０２，Ｓ３００，Ｓ４０４は、発明２のレイアウト評価対象検索手段に対応している。また、テンプレート表示部２４およびステップＳ２１０，Ｓ３１０，Ｓ４１４は、発明２のレイアウト評価対象提示手段に対応し、ステップＳ１００は、発明１４または２６の評価項目入力ステップに対応し、ステップＳ２０２，Ｓ３００，Ｓ４０４は、発明１４または２６のレイアウト評価対象検索ステップに対応している。
【０１２２】
また、上記第１の実施の形態において、ステップＳ２１０，Ｓ３１０，Ｓ４１４は、発明１４または２６のレイアウト評価対象提示ステップに対応している。
上記第１の実施の形態において、テンプレート検索部１６およびステップＳ２０２は、発明６のレイアウト評価対象検索手段に対応し、信頼度入力部２０、入力装置６０およびステップＳ２００は、発明６の信頼度入力手段に対応し、テンプレート表示部２４およびステップＳ２１０は、発明６のレイアウト評価対象提示手段に対応している。また、ステップＳ２００は、発明１８または３０の信頼度入力ステップに対応し、ステップＳ２０２は、発明１８または３０のレイアウト評価対象検索ステップに対応し、ステップＳ２１０は、発明１８または３０のレイアウト評価対象提示ステップに対応している。
【０１２３】
上記第１の実施の形態において、テンプレート検索部１６およびステップＳ３００は、発明７のレイアウト評価対象検索手段に対応し、テンプレート表示部２４およびステップＳ３１０は、発明７または８のレイアウト評価対象提示手段に対応し、ステップＳ３００は、発明１９または３１のレイアウト評価対象検索ステップに対応している。また、ステップＳ３１０は、発明１９、２０、３１または３２のレイアウト評価対象提示ステップに対応している。
【０１２４】
上記第１の実施の形態において、テンプレート検索部１６およびステップＳ４０４は、発明９のレイアウト評価対象検索手段に対応し、許容頻度入力部２２、入力装置６０およびステップＳ４０２は、発明９の分布度入力手段に対応し、テンプレート表示部２４およびステップＳ４１４は、発明９または１０のレイアウト評価対象提示手段に対応している。また、ステップＳ４０２は、発明２１または３３の分布度入力ステップに対応し、ステップＳ４０４は、発明２１または３３のレイアウト評価対象検索ステップに対応し、ステップＳ４１４は、発明２１、２２、３３または３４のレイアウト評価対象提示ステップに対応している。
【０１２５】
次に、本発明の実施の第２の形態を図面を参照しながら説明する。図１８ないし図２３は、本発明に係るレイアウト支援システムおよびレイアウト支援プログラム、並びにレイアウト支援方法の第２の実施の形態を示す図である。
本実施の形態は、本発明に係るレイアウト支援システムおよびレイアウト支援プログラム、並びにレイアウト支援方法を、複数のレイアウトテンプレートのなかからいずれかをユーザに選択させ、選択されたレイアウトテンプレートに従って自動レイアウトを行う場合について適用したものであり、上記第１の実施の形態と異なるのは、ユーザが入力したレイアウトテンプレートを解析して分布情報を表示する点にある。なお、以下、上記第１の実施の形態と異なる部分についてのみ説明し、重複する部分については同一の符号を付して説明を省略する。
【０１２６】
まず、本発明を適用するレイアウト装置１００の機能概要を図１８を参照しながら詳細に説明する。
図１８は、レイアウト装置１００の機能概要を示す機能ブロック図である。
レイアウト装置１００は、図１８に示すように、統計情報を生成するための回帰式の係数と対応付けて印象語対を登録した印象語対登録ＤＢ３４と、印象語対登録ＤＢ３４のなかから印象語対をユーザに選択させて入力する印象語対入力部３６と、印象語対入力部３６で入力した印象語対に対応する回帰式の係数を印象語対登録ＤＢ３４のなかから検索する係数検索部３８とを有して構成されている。
【０１２７】
レイアウト装置１００は、さらに、レイアウトテンプレートを入力するテンプレート入力部４０と、テンプレート入力部４０で入力したレイアウトテンプレートを解析してレイアウト特徴量を算出するレイアウト特徴量算出部４２と、レイアウト特徴量算出部４２で算出したレイアウト特徴量に基づいて統計情報を生成する統計情報生成部４４とを有して構成されている。
【０１２８】
統計情報生成部４４は、レイアウト特徴量算出部４２で算出したレイアウト特徴量および係数検索部３８で索出した回帰式の係数に基づいて回帰式により統計情報を生成する。
レイアウト装置１００は、さらに、表示モード切換部１８、信頼度入力部２０、許容頻度入力部２２、テンプレート表示部２４、テンプレート選択部２６、レイアウト要素登録ＤＢ２８、レイアウト要素選択部３０およびレイアウト部３２を有して構成されている。
【０１２９】
テンプレート表示部２４は、テンプレート入力部４０で入力したレイアウトテンプレートを分布情報と対応付けて表示する。具体的には、表示モード切換部１８により第１表示モードに切り換えられた場合は、統計情報生成部４４で生成した統計情報および信頼度入力部２０で入力した信頼度に基づいて評価値の分布の信頼区間を算出し、算出した信頼区間を分布情報として表示する。また、表示モード切換部１８により第２表示モードに切り換えられた場合は、統計情報生成部４４で生成した統計情報に基づいて、評価値の分布のうち「０」を基準としてその両側の区間の頻度をそれぞれ算出し、算出した頻度を分布情報として表示する。また、表示モード切換部１８により第３表示モードに切り換えられた場合は、統計情報生成部４４で生成した統計情報に基づいて、評価値の分布のうち指定区間の頻度を算出し、算出した頻度が、許容頻度入力部２２で入力した許容頻度以上であると判定したときは、その統計情報に係るレイアウトテンプレートおよび分布情報を表示する。
【０１３０】
次に、印象語対登録テーブル４００のデータ構造を図１９を参照しながら詳細に説明する。
図１９は、印象語対登録テーブル４００のデータ構造を示す図である。
印象語対登録テーブル４００は、図１９に示すように、各印象語対ごとに１つのレコードが登録されている。各レコードは、印象語対に対して一意に割り当てられるシリアル番号を登録するフィールド４０２と、印象語対のうち一方の印象語を登録するフィールド４０４と、印象語対のうち他方の印象語を登録するフィールド４０６と、回帰式の係数を登録するフィールド４０８〜４２２とを含んで構成されている。フィールド４０８〜４１４は、評価値の平均値を算出するための回帰式の係数（レイアウトテンプレートの版面率、ジャンプ率および写真数に対応するもの並びに定数）を登録する。また、フィールド４１６〜４２２は、評価値の標準偏差を算出するための回帰式の係数（レイアウトテンプレートの版面率、ジャンプ率および写真数に対応するもの並びに定数）を登録する。
【０１３１】
図１９の例では、第１段目のレコードには、シリアル番号として「０」が、一方の印象語として「軽薄な」が、他方の印象語として「重厚な」が、評価値の平均値を算出するための回帰式の係数として「2.16」、「-0.01」、「-0.04」および「-0.56」が、評価値の標準偏差を算出するための回帰式の係数として「0.63」、「0.06」、「-0.07」および「0.53」がそれぞれ登録されている。これは、「軽薄な」という印象語と、「重厚な」という印象語を印象語対として定義し、その印象語対がシリアル番号「０」により特定することができることを示している。さらに、印象語対「軽薄な−重厚な」を用いて行った感性評価の評価値の平均値および標準偏差を算出するための回帰式が上記係数により決定されることを示している。
【０１３２】
ＣＰＵ５０は、図５のフローチャートに示すテンプレート選択支援処理に代えて、図２０のフローチャートに示すテンプレート選択支援処理を実行するようになっている。
図２０は、テンプレート選択支援処理を示すフローチャートである。
テンプレート選択支援処理は、ＣＰＵ５０において実行されると、図２０に示すように、まず、ステップＳ５００に移行するようになっている。
【０１３３】
ステップＳ５００では、印象語対登録テーブル４００に登録されている印象語対のなかからいずれかを入力装置６０で選択して入力し、ステップＳ５０２に移行して、１または複数のレイアウトテンプレートを入力装置６０から入力し、ステップＳ５０４に移行する。
ステップＳ５０４では、現在の表示モードが第１表示モードであるか否かを判定し、第１表示モードであると判定したとき(Yes)は、ステップＳ５０６に移行して、第１テンプレート表示処理を実行し、一連の処理を終了して元の処理に復帰させる。
【０１３４】
一方、ステップＳ５０４で、現在の表示モードが第１表示モードでないと判定したとき(No)は、ステップＳ５０８に移行して、現在の表示モードが第２表示モードであるか否かを判定し、第２表示モードであると判定したとき(Yes)は、ステップＳ５１０に移行して、第２テンプレート表示処理を実行し、一連の処理を終了して元の処理に復帰させる。
一方、ステップＳ５０８で、現在の表示モードが第２表示モードでないと判定したとき(No)は、ステップＳ５１２に移行して、現在の表示モードが第３表示モードであるか否かを判定し、第３表示モードであると判定したとき(Yes)は、ステップＳ５１４に移行して、第３テンプレート表示処理を実行し、一連の処理を終了して元の処理に復帰させる。
【０１３５】
一方、ステップＳ５１２で、現在の表示モードが第３表示モードでないと判定したとき(No)は、ステップＳ５０４に移行する。
次に、ステップＳ５０６の第１テンプレート表示処理を図２１を参照しながら詳細に説明する。
図２１は、第１テンプレート表示処理を示すフローチャートである。
【０１３６】
第１テンプレート表示処理は、評価値の分布の信頼区間を分布情報として表示する処理であって、ステップＳ５０６において実行されると、図２１に示すように、まず、ステップＳ６００に移行するようになっている。
ステップＳ６００では、信頼度を入力装置６０から入力し、ステップＳ６０２に移行して、ステップＳ５００で入力した印象語対に対応する回帰式の係数を印象語対登録テーブル４００のなかから検索し、ステップＳ６０６に移行して、ステップＳ５０２で入力したレイアウトテンプレートを解析し、版面率、ジャンプ率および写真数をレイアウト特徴量として算出し、ステップＳ６０８に移行する。
【０１３７】
ステップＳ６０８では、算出したレイアウト特徴量および索出した回帰式の係数に基づいて回帰式により統計情報を生成する。算出した版面率、ジャンプ率および写真数をそれぞれｘ1，ｘ2，ｘ3とし、索出した回帰式の係数のうち評価値の平均値を算出するための回帰式の係数をそれぞれｋa1，ｋa2，ｋa3，ｋa4としたとき、評価値の平均値Ｖａは、下式（１）の回帰式により算出することができる。
Ｖａ  ＝  ｋa1×ｘ1＋ｋa2×ｘ2＋ｋa3×ｘ3＋ｋa4                      …（１）
また、索出した回帰式の係数のうち評価値の標準偏差を算出するための回帰式の係数をそれぞれｋd1，ｋd2，ｋd3，ｋd4としたとき、評価値の標準偏差Ｖｄは、下式（２）の回帰式により算出することができる。
Ｖｄ  ＝  ｋd1×ｘ1＋ｋd2×ｘ2＋ｋd3×ｘ3＋ｋd4                      …（２）
次いで、ステップＳ６１０に移行して、生成した統計情報および入力した信頼度に基づいて評価値の分布の信頼区間を算出し、ステップＳ６１２に移行して、ステップＳ５０２で入力したレイアウトテンプレートを表示装置６４に表示するとともに、算出した信頼区間をレイアウトテンプレートと対応付けて表示装置６４に表示し、ステップＳ６１４に移行する。
【０１３８】
ステップＳ６１４では、ステップＳ５０２で入力したすべてのレイアウトテンプレートについてステップＳ６０６〜Ｓ６１２の処理が終了したか否かを判定し、すべてのレイアウトテンプレートについて処理が終了したと判定したとき(Yes)は、一連の処理を終了して元の処理に復帰させる。
一方、ステップＳ６１４で、すべてのレイアウトテンプレートについて処理が終了しないと判定したとき(No)は、次のレイアウトテンプレートを処理対象としてステップＳ６０６に移行する。
【０１３９】
次に、ステップＳ５１０の第２テンプレート表示処理を図２２を参照しながら詳細に説明する。
図２２は、第２テンプレート表示処理を示すフローチャートである。
第２テンプレート表示処理は、正負２つの区間の頻度をそれぞれ分布情報として表示する処理であって、ステップＳ５１０において実行されると、図２２に示すように、まず、ステップＳ７００に移行するようになっている。
【０１４０】
ステップＳ７００では、ステップＳ５００で入力した印象語対に対応する回帰式の係数を印象語対登録テーブル４００のなかから検索し、ステップＳ７０４に移行して、ステップＳ５０２で入力したレイアウトテンプレートを解析し、版面率、ジャンプ率および写真数をレイアウト特徴量として算出し、ステップＳ７０６に移行する。
ステップＳ７０６では、ステップＳ６０８の処理と同様に、算出したレイアウト特徴量および索出した回帰式の係数に基づいて、上式（１），（２）により統計情報を生成し、ステップＳ７０８に移行する。
【０１４１】
ステップＳ７０８では、生成した統計情報に基づいて、評価値の分布のうち評価値が正となる区間の頻度を算出し、ステップＳ７１０に移行して、生成した統計情報に基づいて、評価値の分布のうち評価値が負となる区間の頻度を算出し、ステップＳ７１２に移行して、ステップＳ５０２で入力したレイアウトテンプレートを表示装置６４に表示するとともに、算出した正負２つの区間の頻度をそれぞれレイアウトテンプレートと対応付けて表示装置６４に表示し、ステップＳ７１４に移行する。
【０１４２】
ステップＳ７１４では、ステップＳ５０２で入力したすべてのレイアウトテンプレートについてステップＳ７０４〜Ｓ７１２の処理が終了したか否かを判定し、すべてのレイアウトテンプレートについて処理が終了したと判定したとき(Yes)は、一連の処理を終了して元の処理に復帰させる。
一方、ステップＳ７１４で、すべてのレイアウトテンプレートについて処理が終了しないと判定したとき(No)は、次のレイアウトテンプレートを処理対象としてステップＳ７０４に移行する。
【０１４３】
次に、ステップＳ５１４の第３テンプレート表示処理を図２３を参照しながら詳細に説明する。
図２３は、第３テンプレート表示処理を示すフローチャートである。
第３テンプレート表示処理は、評価値の分布のうち指定区間の頻度が許容頻度以上となるレイアウトテンプレートおよび分布情報だけを表示する処理であって、ステップＳ５１４において実行されると、図２３に示すように、まず、ステップＳ８００に移行するようになっている。
【０１４４】
ステップＳ８００では、ステップＳ５００で入力した印象語対のうちいずれか一方を入力装置６０で選択して入力し、ステップＳ８０２に移行して、許容頻度を入力装置６０から入力し、ステップＳ８０４に移行して、ステップＳ５００で入力した印象語対に対応する回帰式の係数を印象語対登録テーブル４００のなかから検索し、ステップＳ８０８に移行する。
【０１４５】
ステップＳ８０８では、ステップＳ５０２で入力したレイアウトテンプレートを解析し、版面率、ジャンプ率および写真数をレイアウト特徴量として算出し、ステップＳ８１０に移行して、ステップＳ６０８の処理と同様に、算出したレイアウト特徴量および索出した回帰式の係数に基づいて、上式（１），（２）により統計情報を生成し、ステップＳ８１２に移行する。
【０１４６】
ステップＳ８１２では、生成した統計情報に基づいて、評価値の分布のうち入力した印象語の評価値が属する区間（＝指定区間）の頻度を算出し、ステップＳ８１４に移行する。
ステップＳ８１４では、算出した指定区間の頻度が、入力した許容頻度以上であるか否かを判定し、指定区間の頻度が許容頻度以上であると判定したとき(Yes)は、ステップＳ８１６に移行して、ステップＳ５０２で入力したレイアウトテンプレートを表示装置６４に表示するとともに、算出した指定区間の頻度をレイアウトテンプレートと対応付けて表示装置６４に表示し、ステップＳ８１８に移行する。
【０１４７】
ステップＳ８１８では、ステップＳ５０２で入力したすべてのレイアウトテンプレートについてステップＳ８０８〜Ｓ８１６の処理が終了したか否かを判定し、すべてのレイアウトテンプレートについて処理が終了したと判定したとき(Yes)は、一連の処理を終了して元の処理に復帰させる。
一方、ステップＳ８１８で、すべてのレイアウトテンプレートについて処理が終了しないと判定したとき(No)は、次のレイアウトテンプレートを処理対象としてステップＳ８０８に移行する。
【０１４８】
一方、ステップＳ８１４で、算出した指定区間の頻度が、入力した許容頻度未満であると判定したとき(No)は、ステップＳ８１８に移行する。
次に、本実施の形態の動作を説明する。
初めに、レイアウトテンプレートを第１表示モードで表示する場合を説明する。
ユーザは、まず、ボタン６０８をクリックし、表示モードを第１表示モードに切り換える。続いて、ボタン６００，６０２をクリックし、１または複数のレイアウトテンプレートを入力し、レイアウトのイメージに適合すると思われる印象語対を入力する。さらに、ボタン６０４をクリックし、信頼度を０〜１００％の範囲で入力する。
【０１４９】
レイアウト装置１００では、第１表示モードに切り換えられ、レイアウトテンプレート、印象語対および信頼度が入力されると、ステップＳ６０２を経て、入力された印象語対に対応する回帰式の係数が検索される。次いで、ステップＳ６０６，Ｓ６０８を経て、入力されたレイアウトテンプレートが解析されてレイアウト特徴量が算出され、算出されたレイアウト特徴量および索出された回帰式の係数に基づいて、上式（１），（２）により統計情報が生成される。そして、ステップＳ６１０，Ｓ６１２を経て、生成された統計情報および入力された信頼度に基づいて評価値の分布の信頼区間が算出され、入力されたレイアウトテンプレートが表示されるとともに、算出された信頼区間がレイアウトテンプレートと対応付けられて表示される。
【０１５０】
同様に、ステップＳ６０６〜Ｓ６１２を繰り返し経て、入力された他のレイアウトテンプレートについて同様に処理が行われ、入力されたすべてのレイアウトテンプレートが分布情報と対応付けられて表示される。
次に、レイアウトテンプレートを第２表示モードで表示する場合を説明する。
ユーザは、まず、ボタン６０８をクリックし、表示モードを第２表示モードに切り換える。続いて、ボタン６００，６０２をクリックし、１または複数のレイアウトテンプレートを入力し、レイアウトのイメージに適合すると思われる印象語対を入力する。
【０１５１】
レイアウト装置１００では、第２表示モードに切り換えられ、レイアウトテンプレートおよび印象語対が入力されると、ステップＳ７００を経て、入力された印象語対に対応する回帰式の係数が検索される。次いで、ステップＳ７０４，Ｓ７０６を経て、入力されたレイアウトテンプレートが解析されてレイアウト特徴量が算出され、算出されたレイアウト特徴量および索出された回帰式の係数に基づいて、上式（１），（２）により統計情報が生成される。そして、ステップＳ７０８〜Ｓ７１２を経て、生成された統計情報に基づいて、評価値の分布のうち評価値が正となる区間および負となる区間の頻度がそれぞれ算出され、入力されたレイアウトテンプレートが表示されるとともに、算出された正負２つの区間の頻度がレイアウトテンプレートと対応付けられて表示される。
【０１５２】
次に、レイアウトテンプレートを第３表示モードで表示する場合を説明する。
ユーザは、まず、ボタン６０８をクリックし、表示モードを第３表示モードに切り換える。続いて、ボタン６００，６０２をクリックし、１または複数のレイアウトテンプレートを入力し、レイアウトのイメージに適合すると思われる印象語対を入力する。さらに、印象語対のうちいずれか一方を入力する。
【０１５３】
次に、ユーザは、ボタン６０６をクリックし、許容頻度を入力する。
レイアウト装置１００では、第３表示モードに切り換えられ、レイアウトテンプレート、印象語対、印象語および許容頻度が入力されると、ステップＳ８０４を経て、入力された印象語対に対応する回帰式の係数が検索される。次いで、ステップＳ８０８，Ｓ８１０を経て、入力されたレイアウトテンプレートが解析されてレイアウト特徴量が算出され、算出されたレイアウト特徴量および索出された回帰式の係数に基づいて、上式（１），（２）により統計情報が生成される。そして、ステップＳ８１２を経て、生成された統計情報に基づいて、評価値の分布のうち入力された印象語の評価値が属する区間の頻度が算出される。
【０１５４】
レイアウト装置１００では、指定区間の頻度が算出されると、ステップＳ８１４を経て、算出された指定区間の頻度が許容頻度以上であるか否かが判定される。その結果、許容頻度以上であると判定されると、ステップＳ８１６を経て、入力されたレイアウトテンプレートが表示されるとともに、算出された指定区間の頻度がレイアウトテンプレートと対応付けられて表示される。
【０１５５】
このようにして、本実施の形態では、レイアウトテンプレートおよび印象語対を入力し、入力した印象語対に対応する回帰式の係数を検索し、入力したレイアウトテンプレートを解析してレイアウト特徴量を算出し、算出したレイアウト特徴量および索出した回帰式の係数に基づいて回帰式により統計情報を生成し、入力したレイアウトテンプレートを表示するとともに、統計情報に基づいて評価値の分布を示す分布情報を表示するようになっている。
【０１５６】
これにより、ユーザは、読み手のうち何人が想定した通りの印象を受け、何人がそれとは異なる印象を受けるかをレイアウト作業の段階で把握することができるので、従来に比して、複数の読み手が受ける印象を考慮してレイアウトを行うことができる。さらに、統計情報があらかじめ用意されていなくても動的に生成されるので、評価値の分布をある程度把握することができる。
【０１５７】
上記第２の実施の形態において、印象語対登録ＤＢ３４および記憶装置６２は、発明１２、２４または３６の係数記憶手段に対応し、印象語対入力部３６、入力装置６０およびステップＳ５００は、発明１２の評価項目入力手段に対応し、テンプレート入力部４０、入力装置６０およびステップＳ５０２は、発明１１のレイアウト評価対象入力手段に対応している。また、係数検索部３８およびステップＳ６０２，Ｓ７００，Ｓ８０４は、発明１２の係数検索手段に対応し、レイアウト特徴算出部４２およびステップＳ６０６，Ｓ７０４，Ｓ８０８は、発明１１または１２のレイアウト特徴量算出手段に対応している。
【０１５８】
また、上記第２の実施の形態において、統計情報生成部４４およびステップＳ６０８，Ｓ７０６，Ｓ８１０は、発明１１または１２の統計情報生成手段に対応し、テンプレート表示部２４およびステップＳ６１２，Ｓ７１２，Ｓ８１６は、発明１１のレイアウト評価対象提示手段に対応している。また、ステップＳ５００は、発明２４または３６の評価項目入力ステップに対応し、ステップＳ５０２は、発明２３または３５のレイアウト評価対象入力ステップに対応し、ステップＳ６０２，Ｓ７００，Ｓ８０４は、発明２４または３６の係数検索ステップに対応している。
【０１５９】
また、上記第２の実施の形態において、ステップＳ６０６，Ｓ７０４，Ｓ８０８は、発明２３、２４、３５または３６のレイアウト特徴量算出ステップに対応し、ステップＳ６０８，Ｓ７０６，Ｓ８１０は、発明２３、２４、３５または３６の統計情報生成ステップに対応している。また、ステップＳ２１０，Ｓ３１０，Ｓ４１４は、発明２３または３５のレイアウト評価対象提示ステップに対応している。
【０１６０】
なお、上記第１および第２の実施の形態においては、評価値の平均値および標準偏差を統計情報として用いたが、これに限らず、評価値の最大値および最小値、または評価値が取り得る範囲に複数の代表値を設定したときの各代表値の度数を統計情報として用いることもできる。さらに、統計情報としては、偏差、分散、範囲（Ｘ−Ｒ管理図で表される最大値と最小値の差を分布させたもの）、または度数分布図（ヒストグラム）を用いることができる。このような構成であっても、上記第１および第２の実施の形態と同じ要領で処理を構成することができる。
【０１６１】
また、上記第１の実施の形態においては、テンプレート管理テーブル４４０の統計情報を用いるため、入力した印象語対に対応する統計情報が対応付けられているレイアウトテンプレートを検索して表示するように構成したが、これに限らず、入力した印象語対に対応する統計情報が対応付けられているか否かにかかわらず、記憶装置６２のすべてのレイアウトテンプレートを表示するように構成することもできる。具体的には、印象語対登録テーブル４００を上記第２の実施の形態と同様に構成し、例えば、第１表示モードについては、図６のフローチャートに示す第１テンプレート表示処理に代えて、図２４のフローチャートに示す第１テンプレート表示処理を実行する。
【０１６２】
図２４は、第１テンプレート表示処理を示すフローチャートである。
第１テンプレート表示処理は、ステップＳ１０４において実行されると、図２４に示すように、まず、ステップＳ９００に移行するようになっている。
ステップＳ９００では、信頼度を入力装置６０から入力し、ステップＳ９０２に移行して、先頭のレイアウトテンプレートを記憶装置６２から読み出し、ステップＳ９０４に移行する。
【０１６３】
ステップＳ９０４では、読み出したレイアウトテンプレートに、ステップＳ１００で入力した印象語対に対応する統計情報が対応付けられているか否かを判定し、該当の統計情報が対応付けられていると判定したとき(Yes)は、ステップＳ９０６に移行して、ステップＳ１００で入力した印象語対および読み出したレイアウトテンプレートに対応する統計情報をテンプレート管理テーブル４４０から読み出し、ステップＳ９０８に移行する。
【０１６４】
ステップＳ９０８では、読み出した統計情報および入力した信頼度に基づいて評価値の分布の信頼区間を算出し、ステップＳ９１０に移行して、読み出したレイアウトテンプレートを表示装置６４に表示するとともに、算出した信頼区間をレイアウトテンプレートと対応付けて表示装置６４に表示し、ステップＳ９１２に移行する。
ステップＳ９１２では、記憶装置６２のすべてのレイアウトテンプレートについてステップＳ９０４〜Ｓ９１０，Ｓ９１６〜Ｓ９２６の処理が終了したか否かを判定し、すべてのレイアウトテンプレートについて処理が終了したと判定したとき(Yes)は、一連の処理を終了して元の処理に復帰させる。
【０１６５】
一方、ステップＳ９１２で、すべてのレイアウトテンプレートについて処理が終了していないと判定したとき(No)は、ステップＳ９１４に移行して、次のレイアウトテンプレートを記憶装置６２から読み出し、ステップＳ９０４に移行する。
一方、ステップＳ９０４で、該当の統計情報が対応付けられていないと判定したとき(No)は、ステップＳ９１６に移行して、ステップＳ１００で入力した印象語対に対応する回帰式の係数を印象語対登録テーブル４００のなかから検索し、ステップＳ９２０に移行する。
【０１６６】
ステップＳ９２０では、読み出したレイアウトテンプレートを解析してレイアウト特徴量を算出し、ステップＳ９２２に移行して、ステップＳ６０８の処理と同様に、算出したレイアウト特徴量および索出した回帰式の係数に基づいて、上式（１），（２）により統計情報を生成し、ステップＳ９２４に移行する。
ステップＳ９２４では、生成した統計情報および入力した信頼度に基づいて評価値の分布の信頼区間を算出し、ステップＳ９２６に移行して、読み出したレイアウトテンプレートを表示装置６４に表示するとともに、算出した信頼区間をレイアウトテンプレートと対応付けて表示装置６４に表示し、ステップＳ９１２に移行する。
【０１６７】
なお、第２テンプレート表示処理および第３テンプレート表示処理についても同様に構成することができる。
また、上記第１の実施の形態においては、信頼度を０〜１００％の範囲で入力するように構成したが、これに限らず、図２５に示すような入力インターフェースにより信頼度を入力するように構成することもできる。
【０１６８】
図２５は、信頼度を入力するためのチェックボックスおよびスライドバーを示す図である。
図２５（ａ）の例では、「小数」、「半数」および「多数」の項目に対応するチェックボックス６１６をチェックすることにより信頼度を入力する。例えば、「少数」が選択された場合は３０％、「半数」が選択された場合は５０％、「多数」が選択された場合は９５％として信頼度を入力する。
【０１６９】
図２６（ｂ）の例では、スライドバー６１８の位置を調整することにより信頼度を入力する。
また、上記第１の実施の形態においては、評価値の取り得る範囲において斜線の領域で信頼区間を表示するように構成したが、これに限らず、図２６および図２７に示すような表示方法により分布情報を表示するように構成することもできる。
【０１７０】
図２６および図２７は、第１表示モードにより、レイアウトテンプレートおよび分布情報を対応付けて表示した画面を示す図である。
図２６の表示画面では、評価値の分布が棒グラフとして表示されている。
図２７の表示画面では、評価値の分布がヒストグラムとして表示されている。
また、上記第１の実施の形態においては、信頼区間をすべての表示するように構成したが、これに限らず、図２８に示すように、信頼区間のうち評価値が正となる区間または負となる区間のいずれか一方を表示するように構成することもできる。
【０１７１】
図２８は、信頼区間の半分を表示した場合を示す図である。
また、上記第１および第２の実施の形態においては、レイアウトテンプレートを表示するように構成したが、これに限らず、レイアウト済みのレイアウト結果を表示するように構成することもできる。この場合、記憶装置６２には、レイアウトテンプレートに代えてレイアウト結果を記憶しておけば、上記第１および第２の実施の形態と同じ要領で処理を構成することができる。レイアウト結果としては、例えば、広告やカタログ等の文書をスキャナで読み取って電子化した電子文書、レイアウトテンプレートにレイアウト要素を格納した電子文書、ワープロその他の文書編集アプリケーションにより編集された電子文書を利用することができる。
【０１７２】
また、上記第１および第２の実施の形態において、図５ないし図８、および図２０ないし図２３のフローチャートに示す処理を実行するにあたってはいずれも、ＲＯＭ５２にあらかじめ格納されている制御プログラムを実行する場合について説明したが、これに限らず、これらの手順を示したプログラムが記憶された記憶媒体から、そのプログラムをＲＡＭ５４に読み込んで実行するようにしてもよい。
【０１７３】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１７４】
また、上記第１および第２の実施の形態においては、本発明に係るレイアウト支援システムおよびレイアウト支援プログラム、並びにレイアウト支援方法を、複数のレイアウトテンプレートのなかからいずれかをユーザに選択させ、選択されたレイアウトテンプレートに従って自動レイアウトを行う場合について適用したが、これに限らず、本発明の主旨を逸脱しない範囲で他の場合にも適用可能である。
【図面の簡単な説明】
【０１７５】
【図１】レイアウト装置１００の機能概要を示す機能ブロック図である。
【図２】レイアウト装置１００のハードウェア構成を示すブロック図である。
【図３】印象語対登録テーブル４００のデータ構造を示す図である。
【図４】テンプレート管理テーブル４４０のデータ構造を示す図である。
【図５】テンプレート選択支援処理を示すフローチャートである。
【図６】第１テンプレート表示処理を示すフローチャートである。
【図７】第２テンプレート表示処理を示すフローチャートである。
【図８】第３テンプレート表示処理を示すフローチャートである。
【図９】レイアウト装置１００のメイン画面を示す図である。
【図１０】印象語対を入力するための選択リストを示す図である。
【図１１】信頼度を入力するためのテキストボックスを示す図である。
【図１２】評価値の正規分布を示すグラフである。
【図１３】レイアウトテンプレート０に対応付けて表示する分布情報を示す図である。
【図１４】第１表示モードにより、レイアウトテンプレートおよび分布情報を対応付けて表示した画面を示す図である。
【図１５】第２表示モードにより、レイアウトテンプレートおよび分布情報を対応付けて表示した画面を示す図である。
【図１６】第３表示モードにより、印象語として「重厚な」を入力した場合にレイアウトテンプレートおよび分布情報を対応付けて表示した画面を示す図である。
【図１７】第３表示モードにより、印象語として「軽薄な」を入力した場合にレイアウトテンプレートおよび分布情報を対応付けて表示した画面を示す図である。
【図１８】レイアウト装置１００の機能概要を示す機能ブロック図である。
【図１９】印象語対登録テーブル４００のデータ構造を示す図である。
【図２０】テンプレート選択支援処理を示すフローチャートである。
【図２１】第１テンプレート表示処理を示すフローチャートである。
【図２２】第２テンプレート表示処理を示すフローチャートである。
【図２３】第３テンプレート表示処理を示すフローチャートである。
【図２４】第１テンプレート表示処理を示すフローチャートである。
【図２５】信頼度を入力するためのチェックボックスおよびスライドバーを示す図である。
【図２６】第１表示モードにより、レイアウトテンプレートおよび分布情報を対応付けて表示した画面を示す図である。
【図２７】第１表示モードにより、レイアウトテンプレートおよび分布情報を対応付けて表示した画面を示す図である。
【図２８】信頼区間の半分を表示した場合を示す図である。
【図２９】異なる１６個のレイアウトテンプレートに対して写真をレイアウトしたレイアウト結果０〜１５に対して感性評価を行った結果を示す図である。
【図３０】異なる２つのレイアウトテンプレートＡ，Ｂに対して感性評価を行った結果を示す図である。
【符号の説明】
【０１７６】
１００…レイアウト装置，  １０，３４…印象語対登録ＤＢ，  １２…テンプレート登録ＤＢ，  １４，３６…印象語対入力部，  １６…テンプレート検索部，  １８…表示モード切換部，  ２０…信頼度入力部，  ２２…許容頻度入力部，  ２４…テンプレート表示部，  ２６…テンプレート選択部，  ２８…レイアウト要素登録ＤＢ，  ３０…レイアウト要素選択部，  ３２…レイアウト部，  ３８…係数検索部，  ４２…レイアウト特徴量算出部，  ４４…統計情報生成部，  ５０…ＣＰＵ，  ５２…ＲＯＭ，  ５４…ＲＡＭ，  ５８…Ｉ／Ｆ，  ６０…入力装置，  ６２…記憶装置，  ６４…表示装置，  ４００…印象語対登録テーブル，  ４４０…テンプレート管理テーブル，  ６００〜６０８，６１２，６１４…ボタン，  ６１０，６１６…チェックボックス，  ６１８…スライドバー
【図１】
2005339251.tif 000003
【図２】
2005339251.tif 000004
【図３】
2005339251.tif 000005
【図４】
2005339251.tif 000006
【図５】
2005339251.tif 000007
【図６】
2005339251.tif 000008
【図７】
2005339251.tif 000009
【図８】
2005339251.tif 000010
【図９】
2005339251.tif 000011
【図１０】
2005339251.tif 000012
【図１１】
2005339251.tif 000013
【図１２】
2005339251.tif 000014
【図１３】
2005339251.tif 000015
【図１４】
2005339251.tif 000016
【図１５】
2005339251.tif 000017
【図１６】
2005339251.tif 000018
【図１７】
2005339251.tif 000019
【図１８】
2005339251.tif 000020
【図１９】
2005339251.tif 000021
【図２０】
2005339251.tif 000022
【図２１】
2005339251.tif 000023
【図２２】
2005339251.tif 000024
【図２３】
2005339251.tif 000025
【図２４】
2005339251.tif 000026
【図２５】
2005339251.tif 000027
【図２６】
2005339251.tif 000028
【図２７】
2005339251.tif 000029
【図２８】
2005339251.tif 000030
【図２９】
2005339251.tif 000031
【図３０】
2005339251.tif 000032